(57)【特許請求の範囲】
【請求項１】
第１情報層及び第２情報層を含む複数の情報層を備える光ディスクに対してデータの記録及び再生の少なくも一方を実行することのできる光ディスク装置であって、
光ビームを集束する対物レンズと、
前記対物レンズを駆動するレンズアクチュエータと、
前記光ディスクで反射された光ビームを受け、電気信号に変換する受光部と、
前記第１情報層からデータを読み出すために設定される第１パラメータ群および前記第２情報層からデータを読み出すために設定される第２パラメータ群の値を起動時に決定する制御部と、
を備え、
前記制御部は、起動時において、前記第１パラメータ群の値を決定し、かつ、
以前の起動時に設定された前記第１パラメータ群の値から換算された前記光ディスクの光入射面から前記第１情報層までの第１の距離と以前の起動時に設定された前記第２パラメータ群の値から換算された前記光ディスクの光入射面から前記第２情報層までの第２の距離との相関を表す相関情報、および今回の起動時に決定した前記第１パラメータ群の値を用いて第２パラメータ群の値を決定し、
前記相関情報は、今回の起動時には前記光ディスクに記録されている、光ディスク装置。
【請求項２】
前記相関情報は、以前の起動時に換算された前記第１の距離と以前の起動時に設定された前記第２の距離との差分である、請求項１に記載の光ディスク装置。
【請求項３】
前記制御部は、以前の起動時に換算された前記第１の距離および前記第２の距離を、前記光ディスクの前記第１情報層から取得する、請求項１に記載の光ディスク装置。
【請求項４】
以前の起動時に設定された前記第１パラメータ群および第２パラメータ群の値を前記光ディスクのディスクＩＤ情報に関連付けて格納するメモリを備えており、
前記制御部は、今回の起動時に前記第１パラメータ群の値を決定した後、前記光ディスクの第１情報層からディスクＩＤ情報を読み出させ、当該ディスクＩＤ情報に関連付けられている前記第１パラメータ群および第２パラメータ群の値を前記メモリから取得する、請求項１に記載の光ディスク装置。
【請求項５】
前記第１パラメータ群は、前記第１情報層からデータを再生するときに前記第１情報層上における光ビームの集束状態を規定するパラメータを含み、
前記第２パラメータ群は、前記第２情報層からデータを再生するときに前記第２情報層上における光ビームの集束状態を規定するパラメータを含む、請求項１に記載の光ディスク装置。
【請求項６】
前記第１パラメータ群は、前記第１情報層上における前記光ビームの球面収差補正量を規定する情報を含み、
前記第２パラメータ群は、前記第２情報層上における前記光ビームの球面収差補正量を規定する情報を含む、請求項１に記載の光ディスク装置。
【請求項７】
前記第１パラメータ群は、前記第１情報層のチルトまたは偏心を示す情報を含み、
前記第２パラメータ群は、前記第２情報層のチルトまたは偏心を示す情報を含む、請求項１に記載の光ディスク装置。
【請求項８】
前記制御部は、起動時において前記第２パラメータ群の値を決定するとき、前記相関情報を利用するか否かを、以前の起動時に設定された前記第１パラメータ群の値に基づいて判定する、請求項１に記載の光ディスク装置。
【請求項９】
以前の起動時に設定された前記第１パラメータ群は、以前の起動時における温度を示す温度情報を含む、請求項８に記載の光ディスク装置。
【請求項１０】
前記制御部は、前記相関情報を利用しないと判定した場合、前記光ビームを実際に前記光ディスクの第２情報層に照射して前記第２パラメータ群の値を決定する、請求項８に記載の光ディスク装置。
【請求項１１】
起動時において、以前の起動時に設定された前記第１パラメータ群および第２パラメータ群の値を取得できない場合、前記制御部は、前記光ビームを実際に前記光ディスクの第２情報層に照射して前記第２パラメータ群の値を決定する、請求項１に記載の光ディスク装置。
【請求項１２】
前記制御部は、今回の起動時に決定した第１および第２パラメータ群の値を前記光ディスクの第１情報層に記録する、請求項１に記載の光ディスク装置。
【請求項１３】
前記制御部は、今回の起動時に決定した第１および第２パラメータ群の値を、当該光ディスク装置を特定するための装置ＩＤとともに前記光ディスクの第１情報層に記録する、請求項１に記載の光ディスク装置。
【請求項１４】
前記第１および第２パラメータ群の値を、対応する光ディスクを特定するディスクＩＤに関連付けて記録するメモリを備えており、
前記制御部は、今回の起動時に決定した第１および第２パラメータ群の値を前記光ディスクのディスクＩＤに関連付けて前記メモリに記録する、請求項１に記載の光ディスク装置。
【請求項１５】
第１情報層及び第２情報層を含む複数の情報層を備える光ディスクであって、
以前の起動時に設定された、前記第１情報層からデータを読み出すために設定される第１パラメータ群の値から換算された前記光ディスクの光入射面から前記第１情報層までの第１の距離と、以前の起動時に設定された、前記第２情報層からデータを読み出すために設定される第２パラメータ群の値から換算された前記光ディスクの光入射面から前記第２情報層までの第２の距離との相関を表す相関情報が前記第１情報層に記録されている、光ディスク。
【請求項１６】
前記第１の距離は、前記第１情報層上における前記光ビームの球面収差補正量を規定する情報から換算され、
前記第２の距離は、前記第２情報層上における前記光ビームの球面収差補正量を規定する情報から換算されている、請求項１５に記載の光ディスク。
【請求項１７】
前記相関情報は、出荷時点において既に記録されている、請求項１５に記載の光ディスク。
【請求項１８】
前記相関情報は、前記光ディスク装置と同じ又は異なる光ディスク装置によって前記光ディスクに記録される、請求項１に記載の光ディスク装置。
【請求項１９】
前記相関情報は、以前の起動時に換算された前記第１および第２の距離を示す情報である、請求項１に記載の光ディスク装置。
【発明の詳細な説明】
【技術分野】
【０００１】
本発明は、円盤状の情報担体（以下、「光ディスク」と称する。）に対するデータの記録、および光ディスクに記録されたデータの再生の少なくとも一方を行う光ディスク装置に関する。特に本発明は、複数の情報層を備える光ディスクに対して迅速な起動処理を実行することのできる光ディスク装置、および当該光ディスク装置に用いられる光ディスクに関している。
【背景技術】
【０００２】
光ディスクに記録されているデータは、比較的弱い一定の光量の光ビームを回転する光ディスクに照射し、光ディスクによって変調された反射光を検出することによって再生される。
【０００３】
再生専用の光ディスクには、光ディスクの製造段階でピットによる情報が予めスパイラル状に記録されている。これに対して、書き換え可能な光ディスクでは、スパイラル状のランドまたはグルーブを有するトラックが形成された基材表面に、光学的にデータの記録／再生が可能な記録材料膜が蒸着等の方法によって堆積されている。書き換え可能な光ディスクにデータを記録する場合は、記録すべきデータに応じて光量を変調した光ビームを光ディスクに照射し、それによって記録材料膜の特性を局所的に変化させることによってデータの書き込みを行う。
【０００４】
なお、ピットの深さ、トラックの深さ、および記録材料膜の厚さは、光ディスク基材の厚さに比べて小さい。このため、光ディスクにおいてデータが記録されている部分は、２次元的な面を構成しており、「記録面」と称される場合がある。本明細書では、このような記録面が深さ方向にも物理的な大きさを有していることを考慮し、「記録面」の語句を用いる代わりに、「情報層」の語句を用いることとする。一般の光ディスクは、このような情報層を少なくとも１つ有している。なお、１つの情報層が、現実には、相変化材料層や反射層などの複数の層を含んでいてもよい。
【０００５】
記録可能な光ディスクにデータを記録するとき、または、このような光ディスクに記録されているデータを再生するとき、光ビームが情報層における目標トラック上で常に所定の集束状態となる必要がある。このためには、「フォーカス制御」および「トラッキング制御」が必要となる。「フォーカス制御」は、光ビームの焦点の位置が常に情報層上に位置するように対物レンズの位置を情報記録面の法線方向に制御することである。一方、トラッキング制御とは、光ビームのスポットが所定のトラック上に位置するように対物レンズの位置を光ディスクの半径方向（以下、「ディスク径方向」と称する。）に制御することである。
【０００６】
従来、高密度・大容量の光ディスクとして、ＤＶＤ（Ｄigital Ｖersatile Ｄisc）−ＲＯＭ、ＤＶＤ−ＲＡＭ、ＤＶＤ−ＲＷ、ＤＶＤ−Ｒ、ＤＶＤ＋ＲＷ、ＤＶＤ＋Ｒ等の光ディスクが実用化されてきた。また、ＣＤ（Ｃoｍpact Ｄisc）は今も普及している。現在は、これらの光ディスクよりもさらに高密度化・大容量化されたブルーレイディスク（Ｂlu-ray Ｄisc；ＢＤ）などの次世代光ディスクの開発・実用化が進められつつある。
【０００７】
これらの光ディスクは、その種類に応じて異なる多様な物理的構造を有している。例えば、トラックの物理的構造、トラックピッチ、情報層の深さ（光ディスクの光入射側表面から情報層までの距離）などが異なるものがある。このように物理的な構造の異なる複数種類の光ディスクから適切にデータを読み出し、あるいは、データを書き込むためには、光ディスクの種別に応じた開口数（ＮＡ）を有する光学系を用いて適切な波長の光ビームを光ディスクの情報層に照射する必要がある。
【０００８】
近年、大容量の記録媒体として厚さ方向に２層の情報層を持つ光ディスクが登場し、この光ディスクに対応した光ディスク装置が広く市場に出回るようになってきた。
【０００９】
光ディスクの記録・再生を行うために必要なサーボ制御・信号の最適な状態は、光ディスク装置や光ディスク毎の特性のばらつき、記録・再生を行う際の温度条件などによって異なる。このため、光ディスクの情報層の記録・再生を行う際には、「起動処理」と呼ばれるサーボ制御・信号の初期調整を所定の手順で行う必要がある。
【００１０】
起動処理を行うことにより、光ディスクの情報層の記録・再生を最適な状態で行うことが可能となる。しかし、情報層の数が増えると、情報層毎に初期調整が行われることになるため、起動処理に要する時間が増大し、実際の記録再生動作が可能となるまでのユーザの待ち時間が増大するという課題がある。
【００１１】
特許文献１では、上記課題を解決する技術を開示している。図２３は、特許文献１に開示されている２層ディスクの起動処理の手順を示したフローチャートである。図２３では、起動手順の中で特に調整に関する項目のみ示しており、ディスクモータのＯＮやフォーカス制御のＯＮなどのタイミングは、任意の設定可能なタイミングで行われるものとする。
【００１２】
図２３のステップ７０１では、第１の情報層の調整を実施する。ステップ７０２では、第１の情報層から第２の情報層へのフォーカスジャンプ処理を行う。ステップ７０３では、第１の情報層の調整結果を第２の情報層の調整の初期値として設定する。ステップ７０４では、ステップ７０３で設定した値を初期値として、第２の情報層の調整を実施して、起動処理を終了する。
【００１３】
以上の起動手順によれば、情報層の特性に依存しない調整では、第１の情報層の調整結果と第２の情報層の調整結果が近い値になるため、第１の情報層の調整結果を初期値として第２の情報層の調整を行っている。その結果、第２の情報層の調整を短時間で行うことが可能となる。
【特許文献１】特開２００１−３１９３３２号公報
【発明の開示】
【発明が解決しようとする課題】
【００１４】
しかしながら、上記の従来技術では、各情報層の特性に依存した記録再生のパラメータを調整によって求めるとき、最適な調整結果が得られるまでの調整時間が長くなるという問題がある。調整の初期値を適切に選択した場合には、調整の収束時間の短縮効果は見込めるが、調整処理の内容自体は変わらないために、調整時間の短縮効果が不充分である。
【００１５】
本発明の目的は、積層された複数の情報層を備えるディスクの各情報層の再生および記録のいずれか一方を行うディスク装置であって、装置の電源投入後に短時間に起動を完了させ、再生または記録動作を速やかに開始することができるディスク装置を提供することにある。
【課題を解決するための手段】
【００１６】
本発明の光ディスク装置は、第１情報層及び第２情報層を含む複数の情報層を備える光ディスクに対してデータの記録及び再生の少なくも一方を実行することのできる光ディスク装置であって、光ビームを集束する対物レンズと、前記対物レンズを駆動するレンズアクチュエータと、前記光ディスクで反射された光ビームを受け、電気信号に変換する受光部と、前記第１情報層からデータを読み出すために設定される第１パラメータ群および前記第２情報層からデータを読み出すために設定される第２パラメータ群の値を起動時に決定する制御部とを備え、前記制御部は、起動時において、前記第１パラメータ群の値を決定し、かつ、以前の起動時に設定された前記第１パラメータ群の値と以前の起動時に設定された前記第２パラメータ群の値との相関を表す相関情報、および今回の起動時に決定した前記第１パラメータ群の値を用いて第２パラメータ群の値を決定する。
【００１７】
好ましい実施形態において、前記相関情報は、以前の起動時に設定された前記第１パラメータ群の値と以前の起動時に設定された前記第２パラメータ群の値との差分である。
【００１８】
好ましい実施形態において、前記制御部は、以前の起動時に設定された前記第１パラメータ群および第２パラメータ群の値を、前記光ディスクの前記第１情報層から取得する。
【００１９】
好ましい実施形態において、以前の起動時に設定された前記第１パラメータ群および第２パラメータ群の値を前記光ディスクのディスクＩＤ情報に関連付けて格納するメモリを備えており、前記制御部は、今回の起動時に前記第１パラメータ群の値を決定した後、前記光ディスクの第１情報層からディスクＩＤ情報を読み出させ、当該ディスクＩＤ情報に関連付けられている前記第１パラメータ群および第２パラメータ群の値を前記メモリから取得する。
【００２０】
好ましい実施形態において、前記第１パラメータ群は、前記第１情報層からデータを再生するときに前記第１情報層上における光ビームの集束状態を規定するパラメータを含み、前記第２パラメータ群は、前記第２情報層からデータを再生するときに前記第２情報層上における光ビームの集束状態を規定するパラメータを含む。
【００２１】
好ましい実施形態において、前記第１パラメータ群は、前記第１情報層上における前記光ビームの球面収差補正量を規定する情報を含み、前記第２パラメータ群は、前記第２情報層上における前記光ビームの球面収差補正量を規定する情報を含む。
【００２２】
好ましい実施形態において、前記第１パラメータ群は、前記第１情報層のチルトまたは偏心を示す情報を含み、前記第２パラメータ群は、前記第２情報層のチルトまたは偏心を示す情報を含む。
【００２３】
好ましい実施形態において、前記制御部は、起動時において前記第２パラメータ群の値を決定するとき、前記相関情報を利用するか否かを、以前の起動時に設定された前記第１パラメータ群の値に基づいて判定する。
【００２４】
好ましい実施形態において、以前の起動時に設定された前記第１パラメータ群は、以前の起動時における温度を示す温度情報を含む。
【００２５】
好ましい実施形態において、前記制御部は、前記相関情報を利用しないと判定した場合、前記光ビームを実際に前記光ディスクの第２情報層に照射して前記第２パラメータ群の値を決定する。
【００２６】
好ましい実施形態において、起動時において、以前の起動時に設定された前記第１パラメータ群および第２パラメータ群の値を取得できない場合、前記制御部は、前記光ビームを実際に前記光ディスクの第２情報層に照射して前記第２パラメータ群の値を決定する。
【００２７】
好ましい実施形態において、以前の起動時に設定された前記第１パラメータ群および第２パラメータ群の値が前記光ディスクの第１情報層に記録されている場合において、その設定が行われた装置が当該光ディスク装置と異なる場合、前記制御部は、前記相関情報を補正して使用する。
【００２８】
好ましい実施形態において、前記制御部は、前記光ディスクの第１情報層に記録されている前記第１パラメータ群の値および前記第２パラメータ群の値を前記光ディスクに記録した光ディスク装置を特定する装置ＩＤを前記光ディスクから取得し、前記装置ＩＤに基づいて前記相関情報を補正する。
【００２９】
好ましい実施形態において、前記制御部は、今回の起動時に決定した第１および第２パラメータ群の値を前記光ディスクの第１情報層に記録する。
【００３０】
好ましい実施形態において、前記制御部は、今回の起動時に決定した第１および第２パラメータ群の値を他の光ディスク装置で利用できるように補正してから前記光ディスクの第１情報層に記録する。
【００３１】
好ましい実施形態において、前記制御部は、今回の起動時に決定した第１および第２パラメータ群の値を、当該光ディスク装置を特定するための装置ＩＤとともに前記光ディスクの第１情報層に記録する。
【００３２】
好ましい実施形態において、前記第１および第２パラメータ群の値を、対応する光ディスクを特定するディスクＩＤに関連付けて記録するメモリを備えており、前記制御部は、今回の起動時に決定した第１および第２パラメータ群の値を前記光ディスクのディスクＩＤに関連付けて前記メモリに記録する。
【００３３】
本発明の光ディスクは、第１情報層及び第２情報層を含む複数の情報層を備える光ディスクであって、前記第１情報層からデータを読み出すために設定される第１パラメータ群および前記第２情報層からデータを読み出すために設定される第２パラメータ群の値が前記第１情報層に記録されている。
【００３４】
好ましい実施形態において、前記第１パラメータ群は、前記第１情報層上における前記光ビームの球面収差補正量を規定する情報を含み、前記第２パラメータ群は、前記第２情報層上における前記光ビームの球面収差補正量を規定する情報を含む。
【００３５】
好ましい実施形態において、前記第１パラメータ群および第２パラメータ群の値は、出荷時点において既に記録されている。
【発明の効果】
【００３６】
本発明によれば、複数の情報層を備える光ディスクの記録・再生を行う光ディスク装置において、記録または再生が可能になるまでの起動時間を短縮し、ユーザの待ち時間を短くすることができる。このため、番組の取り逃しや撮影期間の喪失などを防止するとともに、使いやすさを向上するといった効果がある。さらに今後、３層、４層の情報層を持った光ディスクが登場してくると、起動時間の短縮効果は、いっそう顕著になる。
【発明を実施するための最良の形態】
【００３７】
本発明の光ディスクは、第１情報層及び第２情報層を含む複数の情報層を備えた光ディスク（多層光ディスク）であり、第１情報層には、「パラメータ群格納領域」が設けられている。このパラメータ群格納領域は、第１情報層からデータを読み出すために起動時に設定される第１パラメータ群の値および第２情報層からデータを読み出すために起動時に設定される第２パラメータ群の値を格納している。第１パラメータ群は、典型的には、第１情報層からデータを再生するときに第１情報層上における光ビームの集束状態を規定するパラメータを含み、第２パラメータ群は、同様に、第２情報層からデータを再生するときに前記第２情報層上における光ビームの集束状態を規定するパラメータを含む。
【００３８】
各情報層上における光ビームの集束状態を規定する「パラメータ」は、記録・再生の対象となる情報層（目的情報層）における光ビームの集束状態を最適化するために必要な情報であり、例えば光ピックアップ内の対物レンズの位置を示す数値などである。
【００３９】
以下、光ビームの集束状態を最適化するために必要な情報を説明する。
【００４０】
まず、図１を参照する。図１は、一般的な光ディスク２０１と対物レンズ２０２との配置関係を模式的に示す斜視図である。対物レンズ２０２によって集束された光ビーム２２は、光ディスク２０１の光入射側面から光ディスク内部の情報層に照射され、情報層上に光ビームスポットを形成する。本発明で使用する光ディスク２０１の一例は、図２に示すように、光入射側面２０１ａから相対的に深い位置に設けられた第１情報層（Ｌ０層）と、相対的に浅い位置に設けられた第２情報層（Ｌ１層）とを備えているため、記録再生の対象となる情報層（Ｌ０層またはＬ１層）に適確に光ビーム２２を集束するためには、対物レンズ２０２の光軸方向位置や情報面に対する光軸の傾斜角度を適宜調整する必要がある。
【００４１】
前述した各種の光ディスクのうち特にＢＤでは、開口数（ＮＡ）の高い対物レンズを使用して光ビームを集束するため、信号の再生品質が「球面収差」の影響を受けやすい。この球面収差を最小化するため、ＢＤに対応した光ディスク装置では、ＢＤを光ビームで照射するため光源（不図示）と対物レンズ２０２との間に、球面収差を補正する機構（球面収差補正部）が設けられる。
【００４２】
球面収差は、図３（ａ）に示すように、対物レンズ２０２の中心部を通過する光線と、対物レンズ２０２の周辺部を通過する光線との間で焦点の位置が光軸方向に沿ってずれる現象であり、ずれの大きさ自体を「球面収差」と称する場合がある。球面収差は、光ビーム波長、対物レンズの開口数（ＮＡ）、光ディスクの透過層厚（ディスク表面から情報層までの距離）によって変化する。特に開口数には大きく依存し、球面収差はＮＡの４乗に比例して変化する。このため、ＤＶＤやＣＤに比べて開口数（ＮＡ）の大きな対物レンズを用いるＢＤでは、球面収差が特に大きくなりやすく、その低減が不可欠である。
【００４３】
なお、本願明細書における「透過層厚」の用語は、上述のように、光ディスクの光入射側表面（以下、「ディスク表面」と称する。）から情報層までの距離、言い換えると「ディスク表面からの情報層記録層の深さ」を意味するものとする。１層の情報層を備える単層ＢＤの場合、情報層は厚さ０．１ｍｍ（約１００μｍ）のカバー層によって覆われているため、「透過層厚」は一義的に定まり、その大きさは０．１ｍｍである。２層の情報層を備える２層ＢＤの場合、ディスク表面から遠い情報層（Ｌ０層）の上に厚さ約２５μｍの光透過層が設けられており、その光透過層の上に情報層（Ｌ１層）が配置されている。このＬ１層は、厚さ約７５μｍの他の光透過層（カバー層）によって覆われている。このため、２層ＢＤでは、Ｌ０層に着目した場合の「透過層厚」は約１００μｍであるが、Ｌ１層に着目した場合の「透過層厚」は約７５μｍである。
【００４４】
球面収差の大きさは、同じＢＤ規格に基づいて作製された光ディスクであっても、透過層厚が異なっていたり、光ビームの光軸が情報層に対して傾斜（チルト）しているだけで変化する。このため、起動時には、光ディスク装置にロードされた光ディスクに応じて、球面収差を最小化するように球面収差補正部２６０を制御し、収差補正量を最適化することが必要になる。図３（ｂ）は、球面収差補正部２６０により球面収差がほぼ完全に補正された状態を模式的に示している。
【００４５】
図４（ａ）は、光ディスク２０１の表面から相対的に浅い位置にある情報層上で球面収差が最小化されている様子を示し、図４（ｂ）は、光ディスクの表面から相対的に深い位置にある情報層上で球面収差が最小化されている様子を示している。このように、光ディスクの表面から情報層までの距離が変化すると、球面収差補正部２６０の働きにより、対物レンズ２０２に入射する光ビ−ムの発散度を調整することによって情報層上での球面収差を最小化する必要がある。
【００４６】
球面収差補正部２６０は、対物レンズ２０２に入射する光ビ−ムの発散度を調整するため、例えば図５（ａ）、（ｂ）に示す収差補正レンズ２６２を備えており、その光軸方向位置を変化させることにより、光ビ−ムの発散度を変化させ、最終的に情報層上における球面収差を調節することができる。
【００４７】
図５（ａ）に示す状態では、対物レンズ２０２から収差補正レンズ２６２を遠ざけることにより、光ディスクの深い位置にあるＬ０層で球面収差を最小化している。一方、図５（ｂ）に示す状態では、対物レンズ２０２に収差補正レンズ２６２を近づけることにより、光ディスクの浅い位置にあるＬ１層で球面収差を最小化している。
【００４８】
図５（ｃ）に示すように、収差補正レンズ２６２の位置を制御することにより、球面収差が最小化される情報層の深さを変化させることができる。駆動中心に対して１．６６ｍｍだけ対物レンズ２０２から遠い位置に収差補正レンズ２６２を置くとき、Ｌ０層上で球面収差を最小化できる。一方、駆動中心に対して１．１１ｍｍだけ対物レンズ２０２に近い位置に収差補正レンズ２６２を置くときは、Ｌ１層上で球面収差を最小化できる。
【００４９】
ここで、光ディスク表面からＬ０層までの距離（深さ）は、「透過層厚１００μｍ」と表現され、光ディスク表面からＬ１層までの距離（深さ）は、「透過層厚７５μｍ」と表現される場合がある。したがって、光ビームの焦点をＬ１層に位置させる場合には、対物レンズ２０２の光軸方向位置を調整するだけではなく、透過層厚７５μｍに適合した収差補正を行なうために収差補正レンズ２６２を駆動中心から対物レンズ側に１．１１ｍｍ移動させる必要がある。そして、光ビームの焦点をＬ１層からＬ０層に移動させる場合には、対物レンズ２０２の光軸方向位置を調整するとともに、透過層厚１００μｍに適合した収差補正を行なうために、収差補正レンズ２６２を駆動中心に対して１．６６ｍｍだけ対物レンズ２０２から離れる位置に移動させることになる。このとき、単に対物レンズ２０２の位置だけを調節し、収差補正を適切に行なわなかったとすると、Ｌ０層に集束する光ビームの球面収差が大きくなってしまう。
【００５０】
このようにＢＤでは、光ビームの集束点を目的情報層上に位置させるように対物レンズの位置を調整するだけではなく、その情報層において収差補正を最小化するように収差補正レンズ２６２の位置を調整する必要がある。
【００５１】
一方、フォーカスサーボ制御をオンにしているとき、光ビームの集束点を目的情報層上に位置させるため、フォーカスエラー信号におけるＳ字状カーブの振幅をゼロに近づけるようにサーボ制御が実行される。このとき、Ｓ字状カーブの振幅が完全にゼロとなる位置（ゼロクロス点）ではなく、そのゼロクロス点から所定距離だけシフトさせた位置を目標位置としてサーボ制御を行うことにより、相対的に優れた信号再生品質を実現することができる。このように、光ビームの焦点位置をフォーカスエラー信号におけるＳ字状カーブのゼロクロス点からのシフトした位置にあわせることは、「デフォーカス」と称されている。この「デフォーカス」の程度を規定する数値は、「フォーカスバランス」と称される。フォーカスバランスの大きさを変更すると、目的情報層における光ビームの集束状態が変化することになる。本明細書では、デフォーカスの程度を「フォーカス位置」と称し、単に「ＦＢＡＬ」で示す場合がある。
【００５２】
なお、前述したように収差補正レンズは、光ビームを広げる機能（ビームエキスパンド機能）を有するため、「球面収差補正位置」または「球面収差補正量」を「ＢＥ」で簡略的に表現する場合がある。
【００５３】
上記の例では、フォーカス位置（ＦＢＡＬ）および球面収差補正位置（ＢＥ）が光ビームの集束状態を規定する重要なパラメータとなる。
【００５４】
また、情報層に対する光ビームの入射角度によっては、球面収差だけではなく、コマ収差が発生するため、情報層に対して光ビームが垂直に入射するように対物レンズ２０２の光軸の向きを適宜調整する必要もある。対物レンズ２０２の光軸の角度は、対物レンズ２０２の光軸方向位置と同様にレンズアクチュエータの２つのフォーカスコイルに与える駆動信号のバランスを変えることによって制御することができる。対物レンズ２０２の光軸の角度の制御は、チルト制御と称されている。対物レンズ２０２の光軸の角度の初期値は、０°であるが、上記のように光ディスク２０１の情報面が対物レンズ２０２の光軸に対して垂直な面から傾斜している場合は、その傾斜角度に応じて対物レンズ２０２の光軸の角度を合致させるように変化（レンズチルト）させる。ただし、レンズチルトの角度によっては、球面収差が発生する場合もあり、光ビームの集束状態に影響を与えるパラメータの１つである。
【００５５】
光ビームの集束状態に大きな影響を及ぼす上記パラメータの値は、以下の表１に示す各種の要因によって変動し、この変動要因は、光ディスク装置に依存する要因、光ディスクに依存する要因、および使用環境に依存する要因に分けることができる。
【００５６】
【表１】
0005199675.tif 000002
【００５７】
多層光ディスクに対して、実際にデータを記録したり、既に記録されているデータを再生するためには、光ディスク装置の起動直後、個々の情報層について、光ビームの集束状態を最適化するための調整を行う必要がある。すなわち、光ディスク装置にロードされた光ディスクに応じて、「フォーカス位置（ＦＢＡＬ）」および「球面収差補正位置（ＢＥ）」の値を調整し、対物レンズおよび収差補正レンズの光軸方向位置を最適化するための条件を求めておく必要がある。このようなレンズ位置の調整および決定は、「学習」とも呼ばれ、起動時に行う他の処理（レーザパワーの最適化など）とともに「起動処理」として実行される。
【００５８】
このような調整または学習を行うことによって得た各情報層に関するＦＢＡＬおよびＢＥの値（調整結果）は、その光ディスクに記録するか、あるいは、光ディスク装置のメモリ内に保存され得るが、光ディスクや光ディスク装置が替われば、あらためて調整または学習を行う必要があり、同一の光ディスクおよび光ディスク装置であっても、経時的変化や温度変化に応じた微調整は必要になる。このため、起動のたびに、光ディスクの各情報層についてフォーカス位置および球面収差補正位置の調整を行う必要があるが、１枚の光ディスクに含まれる情報層の数が２層以上に増えてゆくと、従来技術の問題として説明したように、データの記録再生開始までに要する時間が大幅に増大してしまうことになる。
【００５９】
本発明者は、フォーカス位置（ＦＢＡＬ）および球面収差補正位置（ＢＥ）などのパラメータが光ディスク装置や使用環境に応じて変動したとしても、同一の光ディスクに含まれる複数の情報層の間では、一定の関係を保持することに着目し、本発明を完成した。すなわち、本発明では、複数の情報層に含まれるいずれか１つの情報層（第１情報層）に関するパラメータ群と、他の情報層（第２情報層）に関するパラメータ群との相関を表す相関情報を求め、この相関情報を利用して、全ての情報層に対して同一の調整処理を行う従来の無駄を省略することができる。
【００６０】
以下、本発明の光ディスク装置による起動処理の基本的原理を説明する。
【００６１】
本発明の好ましい実施形態では、光ディスク装置に多層光ディスクがロードされたとき、第１情報層に関するパラメータと第２情報層に関するパラメータとの相関を表す相関情報として両者の差分を求める。この差分は、光ディスクの透過層厚の違いなど光ディスクの種類や個体差に依存しているが、同一の光ディスクにおいては、ほぼ一定に保たれる。したがって、起動時の最適化調整（学習）を行うとき、例えば第１情報層についてパラメータの調整を完了し、最適化されたパラメータ値（学習結果）を得ることができれば、第２情報層について最適化されたパラメータ値は、第１情報層について最適化されたパラメータ値に対して上記「差分」を加算して得ることができる。すなわち、第２情報層については、パラメータの調整作業の少なくとも一部を割愛することが可能になる。
【００６２】
なお、このような「差分」を示す情報が当該光ディスクまたは光ディスク装置内に記憶されていれば、第２情報層についてパラメータ調整作業を割愛することが可能になるが、記憶されていない場合は、第１および第２情報層の両方について、通常の学習が必要になる。
【００６３】
次に、図６を参照しつつ、本発明による上記パラメータの調整手順の概略を説明する。図６は、調整手順のフローチャートである。
【００６４】
まず、差分情報が記録されていない光ディスクを光ディスク装置に搭載した場合を説明する。光ディスクを光ディスク装置にロードし、第１回目の起動処理を開始した後、第１情報層（Ｌ０層）についてＦＢＡＬおよびＢＥの調整を行う（ステップＳ１）。この調整の仕方については、後に詳述する。
【００６５】
次に、光ピックアップ内のレンズアクチュエータによって対物レンズを光軸方向に移動させ、それによって光ビームの焦点位置を第１情報層（Ｌ０層）から第２情報層（Ｌ１層）に移動させる（フォーカスジャンプ）。そして、第１情報層（Ｌ０層）について行った調整と同様の調整を第２情報層（Ｌ１層）についても行う（ステップＳ２）。この後、調整によって得た各情報層（Ｌ０層、Ｌ１層）に関するＦＢＡＬおよびＢＥの値を光ディスクの「パラメータ群格納領域」に記録する（ステップＳ３）。「パラメータ群格納領域」は第１情報層に設けられている。
【００６６】
次に、上記の光ディスクを用いて２回目以降の起動を行う場合を説明する。
【００６７】
まず、１回目の起動処理として行ったように、第１情報層についてＦＢＡＬおよびＢＥの調整を行う（ステップＳ４）。この後、光ディスクのパラメータ群格納領域からデータを読み出し、ＦＢＡＬおよびＢＥのそれぞれについて、第１情報層と第２情報層との間で生じているＦＢＡＬおよびＢＥの差分に関する情報を取得する（ステップＳ５）。なお、「差分に関する情報」とは、差分そのものを示す情報のみならず、第１情報層および第２情報層の両方についてのパラメータ群の値であってもよい。第２情報層のパラメータの値から第１情報層のパラメータの値を差し引けば、差分を決定することができるからである。
【００６８】
ステップＳ４で求めた第１情報層に関するＦＢＡＬおよびＢＥの値に対して、ステップＳ５で取得した差分を加算することにより、第２情報層に関するＦＢＡＬおよびＢＥの値を得ることができる（ステップＳ６）。
【００６９】
こうして、第２情報層に関するＦＢＡＬおよびＢＥの値を調整または学習によって求める作業を割愛することが可能になり、起動時間を短縮できる。
【００７０】
次に、図７を参照しつつ、ＦＢＡＬおよびＢＥの調整方法を説明する。図７は、横軸がフォーカス位置（ＦＢＡＬ）、縦軸が球面収差補正位置（ＢＥ）のグラフであり、（ＦＢＡＬ、ＢＥ）に依存して変化するジッタを示している。グラフ中の閉曲線は、ジッタの大きさが等しくなる座標点（ＦＢＡＬ、ＢＥ）を結んだ等高線である。「ベスト位置」は、ジッタが最も小さくなる座標点（ＦＢＡＬ、ＢＥ）を示しており、等高線の示すジッタの大きさは、ベスト位置から離れるにつれて大きくなる。ジッタは、情報層に入射している光ビームの集束状態に強く依存し、ＦＢＡＬおよびＢＥが最適な値に近づくほど、小さくなる。このため、ジッタを最小化するように、ＦＢＡＬおよびＢＥを変化させれば、集束状態を最適化するＦＢＡＬおよびＢＥを見つけ出すことが可能になる。
【００７１】
以下、起動処理中の調整過程において、ＦＢＡＬおよびＢＥを変化させる手順を説明する。
【００７２】
まず、ＦＢＡＬおよびＢＥを初期値に設定する。具体的には、図５に示す対物レンズ２０２および収差補正レンズ２６２の光軸方向位置をアクチュエータなどの駆動部の働きによって初期の位置に設定する。初期値としては、例えば標準的な光ディスクについて光ディスク装置の製造的に決定されていたＦＢＡＬおよびＢＥの値を用いることができる。光ディスクの種類によって好ましい初期値が異なるため、ロードされた光ディスクの種類を判別し、その種類に応じて初期値を変更してもよい。
【００７３】
次に、ＦＢＡＬを初期値に固定した状態でＢＥの値を変化させつつ、ＴＥ振幅が最大となるＢＥを求める（矢印１）。具体的には、図５に示す対物レンズ２０２の位置は固定した状態で収差補正レンズ２６２の光軸方向位置を変化させる。与えられたＦＢＡＬに対してＴＥ振幅を最大化するＢＥは、図７に示す破線上にあり、この破線によって示される直線の傾きは予めわかっている。この直線は「トラッキング安定領域」の中心を通り、図７においてＴＥ振幅の「尾根」に相当する。このため、この直線を「ＴＥ尾根直線」と称することとする。本明細書では、矢印１の処理工程を「ＢＥ粗調整」と称することとする。
【００７４】
次に、このＴＥ尾根直線に沿うようにして、ＦＢＡＬおよびＢＥの両方を変化させる（矢印２）。具体的には、図５に示す対物レンズ２０２および収差補正レンズ２６２の光軸方向位置を両方とも所定の距離だけ変化させる。このとき、ジッタが小さくなるようにＴＥ尾根直線の「傾き」に対応した比率でＦＢＡＬおよびＢＥを変化させることにより、ＦＢＡＬおよびＢＥによって決まる座標点（ＦＢＡＬ、ＢＥ）をベスト位置（ジッタ最小位置）に近づけることができる。
【００７５】
次に、ＢＥを固定した状態でＦＢＡＬを変化させつつ、ジッタを計測する。こうして、ジッタをほぼ最小化するＦＢＡＬを求めることができる（矢印３）。その後、ＦＢＡＬを固定した状態で更にＢＥを変化させつつ、ジッタを計測する。こうして、ジッタを最小化するＦＢＡＬおよびＢＥを求めることができる（矢印４）。本明細書では、矢印２〜４の一連の処理工程を全体として「ＦＢＡＬ／ＢＥ精調整」と称する場合がある。
【００７６】
図７のＴＥ尾根直線の傾きを正確に決定するためには、ＴＥ尾根直線上の少なくとも２点を決定すればよい。図８は、図７に対応するグラフであり、シミュレーションによって求めたＴＥ振幅の等高線を記載している。図８における直線ＡＢが、図７のＴＥ尾根直線に相当する。
【００７７】
ＴＥ尾根直線を求める好ましい方法の例では、まず、相対的に低いＢＥの設定値のもとでＴＥ振幅を最大化するＦＢＡＬを求める。図８の例では、ＢＥ＝９８でＦＢＡＬを変化させ、ＴＥ振幅を最大化させるＦＢＡＬの値が０．０５であることが判ったものとする。すなわち、ＢＥ＝９８の直線上では点ＢにおいてＴＥ振幅が最も大きくなることがわかる。次に、ＢＥを９８から１０３に変化させた後、ＴＥ振幅を最大化するＦＢＡＬを求める。図８の例では、ＴＥ振幅を最大化させるＦＢＡＬの値が−０．１５であることが判ったものとする。すなわち、ＢＥ＝１０３の直線上では点ＡにおいてＴＥ振幅が最大化することがわかる。
【００７８】
次に、ＦＢＡＬを−０．１５から０．０５に変化させた後、ＴＥ振幅を最大化するＢＥを求める。図８の例では、ＴＥ振幅を最大化させるＢＥの値が９８であることが判ったものとする。すなわち、ＦＢＡＬ＝０．０５の直線上では点ＢにおいてＴＥ振幅が最大化することがわかる。
【００７９】
上記の作業により、点Ａと点Ｂとを結ぶ直線をＴＥ尾根直線として選択することが可能になる。このような作業は、例えば８００ミリ秒程度の時間を要するため、起動のたびに行うと、起動処理時間を増加させてしまう。ＴＥ尾根直線の傾きは、光ピックアップに依存して異なるが、光ディスクに対する依存性は相対的に小さい。このため、上述した方法により、「ＴＥ尾根直線」の傾きを一度求めておき、その値を光ディスク装置内の不揮発性メモリ（例えばＥＥＰＲＯＭ）内に格納しておけば、次の起動からはＴＥ尾根直線の傾きを決定するための上記作業が不要になり、起動時間を短縮する効果が得られる。
【００８０】
上記の例では、ＴＥ振幅やジッタを指標として調整を行っているが、本発明はこのような場合に限定されない。
【００８１】
以下、図９を参照して、本発明によるＦＢＡＬおよびＢＥの調整手順を詳細に説明する。図９は、調整手順の詳細を示すフローチャートである。
【００８２】
まず、差分情報が記録されていない光ディスクを光ディスク装置にロードした場合を説明する。光ディスクを光ディスク装置にロードし、第１回目の起動処理を開始した後、第１情報層（Ｌ０層）についてＢＥの粗調整を行う（ステップＳ１１）。このステップＳ１１は、図７の矢印１の処理工程に対応している。
【００８３】
次に、ＴＥ尾根直線に沿ってＦＢＡＬおよびＢＥを変化させる（ステップＳ１２）。このステップＳ１２は、図７の矢印２の処理工程に対応している。ＦＢＡＬの微調整を行った（ステップＳ１３）後、ＢＥの精調整を行う（ステップＳ１４）。ステップＳ１３、１４は、それぞれ、図７の矢印３、４の処理工程に対応している。
【００８４】
上記の手順により、第１情報層（Ｌ０層）に関するＦＢＡＬおよびＢＥの最適値（図７のべスト位置）を決定した後、第１情報層（Ｌ０層）から第２情報層（Ｌ１層）へフォーカスジャンプを行う。そして、ステップＳ１１、１２、１３、１４と同様のステップＳ１５、１６、１７、１８を実行して、第２情報層（Ｌ１層）に関するＦＢＡＬおよびＢＥの最適値を決定する。そして、ステップＳ１９では、ＦＢＡＬおよびＢＥの差分情報を光ディスクに記録する。
【００８５】
次に、上記の光ディスクを用いて２回目以降の起動を行う場合を説明する。
【００８６】
まず、１回目の起動処理として行ったように、第１情報層についてＦＢＡＬおよびＢＥの調整を行う（ステップＳ２０、Ｓ２１、Ｓ２２、Ｓ２３）。この後、光ディスクから差分情報を取得する（ステップＳ２４）。
【００８７】
第１情報層（Ｌ０）に関するＦＢＡＬおよびＢＥの値に対して、ステップＳ２４で取得した差分を加算することにより、第２情報層（Ｌ１）に関するＦＢＡＬおよびＢＥの値を得る。
【００８８】
こうして得られた第２情報層（Ｌ１）に関するＦＢＡＬおよびＢＥの値（計算値）は、実際に調整を行った場合に得られるＦＢＡＬおよびＢＥの値から僅かにシフトしている可能性がある。そのシフトの原因は、例えば１回目の起動処理時と今回の起動処理時との間で環境温度（レーザ光源の温度）が異なっている可能性があるからである。そのようなシフトを補償するためには、差分の加算によって求めたＦＢＡＬおよびＢＥの値を初期値として用い、ＦＢＡＬおよびＢＥの精調整を付加的に実行することが好ましい。そのため、この例では、ステップＳ２５においてＦＢＡＬの精調整を行い、ステップＳ２６においてＢＥの精調整を行う。このような調整は不可欠ではなく、代わりに環境温度を検出した上で、ＦＢＡＬおよびＢＥの計算値を環境温度に応じて補正するようにしても良い。
【００８９】
図９に示す手順によれば、２回目以降の起動処理に要する時間は、ステップＳ１５、１６に要する時間（合計１秒程度）程度、短縮される。
【００９０】
上記の例では、１枚の光ディスクが２層の情報層を備えているが、１枚の光ディスクが備える情報層の総数が増加するにつれ、本発明による起動処理時間短縮の効果は顕著になる。
【００９１】
以下、本発明の好ましい実施形態を更に詳細に説明する。
【００９２】
（実施形態１）
以下、本発明の第１の実施形態を説明する。
【００９３】
まず、図１０を参照しながら、本実施形態で使用する光ディスクの構造を説明する。この構造は、Ｂｌｕ−ｒａｙ  Ｄｉｓｃ  Ｒｅｗｒｉｔａｂｌｅ  Ｆｏｒｍａｔに従っているため、以下、このフォーマットに従った光ディスクを「ＢＤ−ＲＥ  Ｄｉｓｃ」と称することにする。
【００９４】
ＢＤ−ＲＥ  Ｄｉｓｃ１０１の物理アドレスは、図１０の上から下に向かうにつれ増加している。図１０において「Ｌａｙｅｒ  ０」と記載された領域は、第１の情報層（Ｌ０層）であり、「Ｌａｙｅｒ  １」と記載された領域は、第２の情報層（Ｌ１層）である。Ｌ０層とＬ１層は、物理的には離れているが、本図では繋がった領域として記載している。
【００９５】
Ｌｅａｄ-ｉｎ  Ｚｏｎｅ１０２は、ディスク情報や調整で使用する領域などの領域である。その詳細は、後述する。
【００９６】
Ｄａｔａ  Ｚｏｎｅ１０３は、Ｌ０層においてユーザデータを記録する領域である。Ｏｕｔｅｒ  Ｚｏｎｅ１０４は、ＤＭＡ情報やＣｏｎｔｒｏｌ  Ｄａｔａ情報が記載される領域である。Ｄａｔａ  Ｚｏｎｅ１０５は、Ｌ１層においてユーザデータを記録する領域である。Ｌｅａｄ−ｏｕｔ  Ｚｏｎｅ１０６は、ＤＭＡ情報やＣｏｎｔｒｏｌ  Ｄａｔａ情報が記載される領域である。
【００９７】
Ｌｅａｄ−ｉｎ  Ｚｏｎｅ１０２を詳細に説明すると、Ｌｅａｄ−ｉｎ  Ｚｏｎｅ１０２は、ディスク情報領域１０７、ＯＰＣ領域１０８、Ｄｒｉｖｅ  Ａｒｅａ１０９、およびＤＭＡ領域１１０から構成されている。
【００９８】
ディスク情報領域１０７は、ディスクの種別、情報層の数、記録容量、ディスクメーカが推奨する線速度毎の記録パラメータなどが記載されている領域である。ＯＰＣ領域１０８は、光ビームのパワー調整などに使用する試し書き領域である。
【００９９】
Ｄｒｉｖｅ  Ａｒｅａ１０９は、ドライブメーカ毎に自由に使用可能な領域であり、無効なＤｒｉｖｅ  Ａｒｅａ情報１１１が記録されている領域と、有効なＤｒｉｖｅ  Ａｒｅａ情報１１２が記録されている領域と、予備領域１２１から構成されている。有効なＤｒｉｖｅ  Ａｒｅａ情報１１２は、装置識別領域と自由なフォーマットで使用可能なドライブ固有情報領域から構成されている。Ｄｒｉｖｅ  Ａｒｅａ１０９の使用については、後に詳細を説明する。
【０１００】
ＤＭＡ領域１１０は、ディスクの欠陥管理情報などが記載された領域であり、有効な欠陥管理リストのアドレス情報や、有効なＤｒｉｖｅ  Ａｒｅａ情報のアドレス情報が記載されたＤＤＳ情報１１３と、欠陥の位置毎のステータスや交替先のアドレスなどの欠陥管理リストが記録された有効なＤＦＬ情報１１５と、無効なＤＦＬ情報１１４と予備領域１２２から構成されている。
【０１０１】
有効なＤｒｉｖｅ  Ａｒｅａ情報１１２は、１つ以上の装置識別情報１１６、Ｌ０層の調整パラメータ１１７、Ｌ０層の調整結果確認情報１１８、Ｌ１層の調整パラメータ１１９、Ｌ１層の調整結果確認情報１２０の組を含む。装置識別情報１１６には、ＢＤ−ＲＥ  Ｄｉｓｃ１０１に記録を行った装置の固有情報が格納されている。Ｌ０層の調整パラメータ１１７、Ｌ１層の調整パラメータ１１９は、以前の起動処理の中で行った対応した情報層の最適な調整結果を含む。Ｌ０層、Ｌ１層の調整結果確認情報１１８、１２０は、調整パラメータ１１７、１１９の値の使用可否を判定する際に用いる情報を含んでいる。図１０中の“＃”につづく数字は、装置毎のインデックス番号を示している。
【０１０２】
図１０に示すＢＤ−ＲＥ  Ｄｉｓｃ１０１は、ＢＤ−ＲＥ  Ｄｉｓｃ１０１に対して２つの光ディスク装置によって記録が行われた後の状態を示している。有効なＤｒｉｖｅ  Ａｒｅａ情報１１２のアドレス情報は、ＤＤＳ情報１１３に記録されているため、ＤＤＳ情報を再生するまでは、Ｄｒｉｖｅ  Ａｒｅａ１０９の情報を使用することはできない状態にある。
【０１０３】
次に、図１１を参照して、調整パラメータ１１７および調整結果確認情報１１８の詳細を説明する。図１１は、本実施形態における調整パラメータ１１７と調整結果確認情報１１８のフォーマットを示している。
【０１０４】
調整パラメータ１１７は、Ｌ０層のＦＢＡＬ／ＢＥ精調整の結果であるＦＢＡＬ値３０３と球面収差補正位置３０４、Ｌ１層のＦＢＡＬ／ＢＥ精調整の結果であるＦＢＡＬ値３０５と球面収差補正位置３０６を含む。
【０１０５】
調整結果確認情報１１８は、調整パラメータ１１７の情報が使用可能な値か否かを判定する際に用いる情報である。この情報は、Ｌ０層のＦＢＡＬ／ＢＥ精調整時の温度３０７、およびＬ１層のＦＢＡＬ／ＢＥ精調整時の温度３０８を含む。なお、調整結果確認情報１１８には、温度以外の情報が含まれていても良い。具体的には、調整時の信号指標（ボトムジッタ等）、調整領域アドレス、調整時の機器の状態を示すパラメータ（カムの振動センサの値など）、調整時のディスク回転速度、調整時のタイムスタンプなどが含まれていても良い。
【０１０６】
調整パラメータ１１７と調整結果確認情報１１８が記録された光ディスクを用いれば、起動処理を行う際に、まず、Ｌ０層の調整を行うことにより、図１０に示すＤｒｉｖｅ  Ａｒｅａ１０９から調整パラメータ１１７と調整結果確認情報１１８とを取得することができる。その結果、Ｌ１層の調整時間を短縮することが可能となる。
【０１０７】
なお、以上の説明は、２つの情報層を備えるＢＤ−ＲＥに関して行ったが、１つの光ディスクが備える情報層の数は、２つ以上の任意の数でもよい。また、光ディスクは、ドライブ固有の情報を格納する領域を有するＢＤ−ＲＥ以外の光ディスクであってもよい。
【０１０８】
次に、図１２を参照しつつ、上記の構成を有すＢＤ−ＲＥ  Ｄｉｓｃに対してデータの記録・再生を行うための光ディスク装置を説明する。図１２は、本実施形態の光ディスク装置２００の構成を示すブロック図である。
【０１０９】
本実施形態の光ディスク装置２００は、ロードされた光ディスク２０１を回転させるディスクモータ２１４と、光ディスク２０１に光学的にアクセスする光ピックアップ２１５と、光ピックアップ２１５との間で信号のやりとりを行う回路部とを備えている。
【０１１０】
光ピックアップ２１５は、公知の構成を有していればよく、レーザ光源２１７と、レーザ光源２１７から放射された光ビームを光ディスク２０１に集束するための対物レンズ２０２と、光ディスク２０１から反射された光ビームを受けて各種の電気信号に変換する受光部２０５とを備えている。対物レンズ２０２と受光部２０５との間には、球面収差位置調整部２０４が配置されている。球面収差位置調整部２０４は、光軸方向に移動可能な収差補正用レンズ（図５参照）を備えた装置であり、光ビームの集束・発散状態を調整することにより、光ディスク２０１の情報層における光ビームの収差を小さくすることができる。また、光ピックアップ２０１内には、レーザ光源２１７の温度を検出する温度センサ（不図示）も設けられている。
【０１１１】
受光部２０５から出力された電気信号は、フォーカス誤差生成部２０８に供給され、フォーカスエラー信号（ＦＥ信号）が生成される。同様に受光部２０５から出力された電気信号は、トラッキング誤差生成部２０９および信号再生部２１０へ供給され、それぞれ、トラッキングエラー信号（ＴＥ信号）、再生信号（ＲＦ信号）が生成される。ＲＦ信号は、データ再生部２１１に供給され、データ再生部２１１は、ＲＦ信号に基づき光ディスク２０１に記録された情報を復号しシステム制御部２１３へ送る。システム制御部２１３は、信号再生部２１０やデータ再生部２１１から供給された信号を基に、ユーザデータの再生や、ジッタなどの信号品質の指標となる値の算出を行う。
【０１１２】
ＦＥ信号は、例えば一般に非点収差法と呼ばれるフォーカス誤差検出方式によって生成することができる。また、ＴＥ信号は、例えば一般にプッシュプル法と呼ばれるトラッキング誤差検出方式によって生成することができる。ＦＥ信号およびＴＥ信号はサーボ制御部２１２に供給され、対物レンズ２０２と光ディスク２０１の記録面との相対距離を一定に保つフォーカスサーボ制御や、光ディスク２０１のトラック上にレーザ照射位置を追従させるトラッキングサーボ制御が行われる。サーボ制御部２１２からの制御信号はアクチュエータ駆動部２０６に供給される。アクチュエータ駆動部２０６は、光ピックアップ２０２に設けられた対物レンズアクチュエータ２０３に駆動信号を送出し、対物レンズアクチュエータ２０３を駆動する。すなわち、サーボ制御部２１２は、上記誤差信号により対物レンズアクチュエータ２０３を作動せしめ、対物レンズ２０２を駆動することによって、フォーカス制御、トラッキング制御のサーボループが形成され、サーボ制御が実行される。
【０１１３】
球面収差位置調整部２０４は、球面収差位置駆動部２０７からの駆動信号により収差補正量を変更し、それによって球面収差補正を実行する。
【０１１４】
システム制御部２１３は、対物レンズ２０２の焦点位置を揺動せしめるフォーカス外乱信号を生成してサーボ制御部２１２へ送る。サーボ制御部２１２およびアクチュエータ駆動部２０６は、フォーカス外乱信号に応じて対物レンズ２０２の焦点位置を揺動させる。また、システム制御部２１３は、ディスクモータ２１４に対して回転指示や停止処理を行ったり、回転数の設定を行うことで、ディスクモータ２１４の回転制御を行っている。調整パラメータ処理部２１６は、Ｌ０層の調整結果、図１１の調整パラメータ１１７、および調整結果確認情報１１８の内容を解釈して、Ｌ１層の調整処理を行う。
【０１１５】
本実施形態における調整パラメータ処理部２１６は、システム制御部２１３に含まれているが、調整パラメータ処理部２１６はサーボ制御部２１２に含まれていてもよいし、独立した構成要素であってもよい。また、調整パラメータ処理部２１６は、システム制御部２１３やサーボ制御部２１２を構成する制御プログラムの一部によって実現されていてもよい。
【０１１６】
記録部２１８は、光ディスク２０１が記録可能な光ディスクである場合において、光ディスク２０１にデータを記録するとき、レーザ光源２１７を駆動し、記録すべきデータに応じて強度が変調された光ビームをレーザ光源２１７から放射させる。記録部２１８の動作は、システム制御部２１３によって制御される。起動時の調整によって求められたＦＢＡＬ、ＢＥ、調整時温度などのパラメータ値も、記録部２１８がレーザ光源２１７を駆動することによって光ディスク２０１の所定領域に記録される。
【０１１７】
次に、図１３を参照しながら、光ディスクの起動処理手順の概略を説明する。図１３は、上記の光ディスク装置２００を用いて光ディスク２０１の起動処理を行う手順を示したフローチャートである。
【０１１８】
まず、ステップ８０１では、システム制御部２１３からディスクモータ２１４に対して回転数の設定と回転開始指示を行う。ステップ８０２では、レーザ光源２１７から、光ディスク２０１に対してレーザの照射を開始する。ステップ８０３では、サーボ制御部２１２によりフォーカスサーボ制御を有効にする。ステップ８０４では、図１２に示す球面収差位置調整部２０４の働きにより、球面収差の補正位置をサーボが安定となる位置へ調整する。この調整は、球面収差補正位置（ＢＥ）の粗調整（図７の矢印１）であり、この粗調整の詳細は、後述する。ステップ８０５では、ＴＥ信号の振幅やバランスが最適になるようにＴＥ信号の調整を行う。ステップ８０６では、トラッキングサーボ制御を有効にする。
【０１１９】
ステップ８０７では、光ディスク２０１に記載されているディスク情報を取得する。ディスク情報とは、例えばディスク種別やディスクに対するディスクメーカの推奨する記録再生に用いるパラメータである。ステップ８０８では、レンズアクチュエータ２０３によりフォーカス位置を調整し、球面収差位置調整部２０４により球面収差補正位置を調整する。この調整は、情報層における光ビームの集束状態をデータ再生のために最適化する「精調整」である。この精調整は、図７の矢印２〜４に相当し、その詳細は後述する。
【０１２０】
次に、光ディスク装置２００でＢＤ−ＲＥ  Ｄｉｓｃ１０１の起動処理を行う手順をより詳細に説明する。まず、図１４を参照する。図１４は、光ディスク装置２００でＢＤ−ＲＥ  Ｄｉｓｃ１０１の起動処理を行う手順を示したフローチャートである。但し、ＢＤ−ＲＥ  Ｄｉｓｃ１０１を、光ディスク装置２００によって起動処理を行ったことがない場合、つまり、ＢＤ−ＲＥ  Ｄｉｓｃ１０１には、光ディスク装置２００の装置識別情報に対応した調整パラメータ１１７、調整結果確認情報１１８が格納されていない場合について述べる。
【０１２１】
まず、ステップ１２０１において、Ｌ０層のＢＥ粗調整（図７の矢印１）を実施する。ＢＥ粗調整は、ＴＥ振幅が最大になるＢＥを求める調整である。ここで、図１５を参照して、ＢＥ粗調整の手順を詳しく説明する。
【０１２２】
まず、図１５のステップ９０１において、ＢＥ（初期値）を設定する。初期値は、例えばＢＥが透過層厚１００μｍの光ディスクに対して最適となるように設計時に決められた値などの固定値である。
【０１２３】
次に、ステップ９０２において、ＴＥ振幅を測定する。ステップ９０３では、ステップ９０２の測定回数が所定回数以内であるか否かを判定し、所定回数以内ならば、ステップ９０４に進んで測定を繰り返し、所定回数を超えていればステップ９０５に進む。所定回数は、例えば、ＴＥ振幅が最大となる点を確実に探索し、フォーカス制御状態を維持することのできるＢＥ値の振り幅などに基づいて設定され得る。
【０１２４】
ステップ９０４では、次に設定するＢＥを決定する。次に設定するＢＥは、例えば、初回時は固定の方向に固定の値変化させた値とし、２回目以降は、両端のＢＥでのＴＥ振幅を比較して、ＴＥ振幅が大きい方向に固定の値変化させた値とする。設定する値を決定すると、ステップ９０１で設定を実施し、ステップ９０１〜９０４の処理を繰り返す。
【０１２５】
ステップ９０５では、測定したＴＥ振幅と、そのときのＢＥ値との組み合わせから、ＴＥ振幅が最大となるＢＥ値を算出する。算出は、測定したＴＥ振幅が最大となるＢＥ値をそのまま算出結果としてもよいし、ＴＥ振幅とＢＥ値の関係から、２次近似などを行った後、ＴＥ振幅が最大となるＢＥ値を算出してもよい。
【０１２６】
ステップ９０６では、ステップ９０５で算出したＢＥ値の設定を行う。
【０１２７】
以上の手順で調整を実行することにより、図７における矢印１で示す粗調整が行われ、ＴＥ振幅が最大となるＢＥ値を求めることが可能となる。
【０１２８】
図１４を再び参照する。図１４のステップ１２０２では、Ｌ０層のＢＥ粗調整の結果を取得する。調整結果としては、調整結果ＢＥ値、調整を行った際の温度情報などが取得される。取得した結果は、システム制御部２１３に含まれる図示していないメモリなどに格納される。
【０１２９】
ステップ１２０３では、Ｌ０層のＦＢＡＬ／ＢＥ精調整を実施する。本実施形態におけるＦＢＡＬ／ＢＥ精調整とは、フォーカス位置、ＢＥの設定を変更しながら、記録済みの領域のジッタを測定し、ジッタが最小となるフォーカス位置、ＢＥを求める調整である。初めに、データ再生に最適なフォーカス位置、ＢＥに関して説明する。
【０１３０】
以下では、図１６を参照して、ＦＢＡＬ／ＢＥ精調整（図７の矢印２〜４）の手順を説明する。
【０１３１】
まず、ステップ１１０１において、フォーカス位置および球面収差補正位置の設定を行う。設定するフォーカス位置および球面収差補正位置の初期値としては、通常、固定の値（０など）や、製造工程時の調整などで求めた値が用いられるが、ＢＥ粗調整の結果、図７のＦＢ１点（ＴＥ尾根直線上の点）が求められている場合は、このＦＢ１点に相当するＦＢＡＬおよびＢＥを初期値として用いる。
【０１３２】
ステップ１１０２では、調整で使用する記録済み領域のジッタを測定する。記録済みの領域は、本フローチャートの実行前に記録済みであることがわかっている領域の探索を行ったり、記録済みとわかっている領域のない場合は、調整のための試し書きを行う領域に作成するなどして、予め確保しておく。
【０１３３】
ステップ１１０３では、ステップ１１０２のジッタ測定回数が所定回数以内か否かを判定する。所定回数以内ならば、ステップ１１０４に進んで、測定を繰り返し、所定回数を超えていれば、ステップ１１０５に進む。
【０１３４】
ステップ１１０４では、次に設定するフォーカス位置および球面収差補正位置を決定する。次に設定するフォーカス位置および球面収差補正位置は、図７に示すＴＥ尾根直線の傾きによって規定される比率で、フォーカス位置および球面収差補正位置の両方を変化させた位置に相当する。すなわち、変化後の位置が図７に示すＴＥ尾根直線上にあるように位置変化量を決定する。
【０１３５】
ステップ１１０１〜ステップ１１０４を所定回数だけ繰り返すことにより、フォーカス位置および球面収差補正位置は、図７のＴＥ尾根直線上を移動する。その後、ステップ１１０５では、測定したジッタと、そのときのフォーカス位置および球面収差補正位置の組み合わせから、ジッタが最小となるフォーカス位置および球面収差補正位置を算出する。算出は、測定したジッタが最小となるフォーカス位置をそのまま算出結果としてもよいし、ジッタとフォーカス位置および球面収差補正位置の関係から、２次近似などを行った後、ジッタが最小となるフォーカス位置を算出してもよい。
【０１３６】
こうして、図７の矢印２で示される精調整が完了する（ＦＢ２点）。
【０１３７】
次に、ステップ１１０６において、算出したフォーカス位置および球面収差補正位置の設定を行い、フォーカス位置の精調整を開始する。すなわち、ステップ１１０７でフォーカス位置を設定する。初期値は、ステップ１１０６で算出したフォーカス位置を用いる。
【０１３８】
次に、ステップ１１０８では、調整で使用する記録済み領域のジッタを測定する。ステップ１１０９では、ステップ１１０８のジッタ測定回数が所定回数以内か否かを判定する。所定回数以内ならば、ステップ１１１０に進んで、測定を繰り返し、所定回数を超えていれば、ステップ１１１１に進む。
【０１３９】
ステップ１１１０では、次に設定するフォーカス位置を決定する。次に設定するフォーカス位置は、例えば、初回時は固定の方向に固定の値変化させた値とし、２回目以降は、異なる２つのフォーカス位置におけるジッタを比較し、ジッタが小さい方向に固定の幅だけ変化させた値とする。設定する値を決定すると、ステップ１１０７で設定を実施し、ステップ１１０７〜１１１０の処理を繰り返す。但し、フォーカス位置には、設定可能な範囲があり、前記設定可能範囲に応じて、前記固定の値やステップ１１１０で判定に用いた所定回数を増減させて調整を行う。
【０１４０】
このようにしてステップ１１０７〜１１１０の処理を繰り返すことにより、図７の矢印３で示される精調整が進行する。ステップ１１１１では、ステップ１１０７〜１１１０の処理を所定回数繰り返して測定したジッタに基づき、最もジッタが小さくなるフォーカス位置（図７のＦＢ３点に相当するフォーカス位置）を算出する。そして、算出したフォーカス位置に設定した状態で、ステップ１１１３〜１１１６を繰り返す。ステップ１１１３〜１１１６は、上記のステップ１１０７〜１１１０に比べて、設定する値がフォーカス位置（ＦＢＡＬ）から球面収差補正位置（ＢＥ）に代わったものである。ステップ１１１３〜１１１６の処理を繰り返すことにより、図７の矢印４に示す精調整が進行する。ステップ１１１５において所定回数を超えたと判定されたとき、ステップ１１１７に進む。ステップ１１１７では、ステップ１１１３〜１１１６の処理を所定回数繰り返して測定したジッタに基づき、最もジッタが小さくなる球面収差補正位置（図７のＦＢ４点に相当するフォーカス位置）を算出する。そして、ステップ１１１８では算出したフォーカス位置に設定し（図７のＦＢ４点）、起動処理を完了する。
【０１４１】
以上の調整を実行することにより、ジッタが最小となるフォーカス位置／ＢＥ（図７のべスト位置）を求めることが可能となる。
【０１４２】
また図１４を参照する。ステップ１２０４では、Ｌ０層のＦＢＡＬ／ＢＥ精調整の結果を取得する。調整結果としては、調整結果ＦＢＡＬ値、調整結果ＢＥ値、調整を行った際の温度情報、調整を行った領域のアドレス情報、調整結果条件でのジッタ値などが取得される。取得した結果は、システム制御部２１３に含まれる図示していないメモリなどに格納する。
【０１４３】
ステップ１２０５では、ＢＤ−ＲＥ  Ｄｉｓｃ１０１のＤＭＡ領域１１０のリード処理を行う。
【０１４４】
ステップ１２０６では、ステップ１２０５で得られたＤＭＡ情報の中のＤＤＳ情報１１３から、有効なＤｒｉｖｅ  Ａｒｅａ情報１１２の先頭位置のアドレス情報を取得する。
【０１４５】
ステップ１２０７では、ステップ１２０６で得られたアドレス情報に対応した位置から、Ｄｒｉｖｅ  Ａｒｅａ情報１１２を読み出す。ＢＤ−ＲＥ  Ｄｉｓｃ１０１の場合、Ｄｒｉｖｅ  Ａｒｅａ情報１１２が記録される領域には、３２種類の光ディスク装置に関して個別にＤｒｉｖｅ  Ａｒｅａ情報１１２が記録され得る。個々の光ディスク装置を特定する識別情報は、図１０の装置識別情報の領域に記録される。ＢＤ−ＲＥ  Ｄｉｓｃ１０１から読み出したＤｒｉｖｅ  Ａｒｅａ情報１１２の中から、自社の光ディスク装置に関する情報を選択して取得する。すなわち、ＢＤ−ＲＥ  Ｄｉｓｃ１０１に記録されている調整パラメータ１１７および調整結果確認情報１１８を取得する。
【０１４６】
ステップ１２０８では、Ｌ１層へのフォーカスジャンプ処理を行う。
【０１４７】
ステップ１２０９では、Ｌ１層のＢＥ粗調整を実施する。ＢＥ粗調整は、図１５を参照して説明した方法により行う。
【０１４８】
ステップ１２１０では、Ｌ１層のＢＥ粗調整の結果を取得する。調整結果としては、調整結果ＢＥ値、調整を行った際の温度情報などが取得される。取得した結果は、システム制御部７１３に含まれる図示していないメモリなどに格納する。
【０１４９】
ステップ１２１１では、Ｌ１層のＦＢＡＬ／ＢＥ精調整を実施する。ＦＢＡＬ／ＢＥ精調整は、図１６で示した方法で行う。
【０１５０】
ステップ１２１２では、Ｌ１層のＦＢＡＬ／ＢＥ精調整の結果を取得する。調整結果としては、調整結果ＦＢＡＬ値、調整結果ＢＥ値、調整を行った際の温度情報、調整を行った領域のアドレス情報、調整結果条件でのジッタ値などが取得される。取得した結果は、システム制御部７１３に含まれる図示していないメモリなどに格納する。
【０１５１】
ステップ１２１３では、Ｌ０層へのフォーカスジャンプ処理を行う。
【０１５２】
ステップ１２１４では、ステップ１２０２、ステップ１２０４、ステップ１２１０、ステップ１２１２で取得した調整結果を、ステップ１２０６で取得したＤｒｉｖｅ  Ａｒｅａ情報の位置に記録する。Ｄｒｉｖｅ  Ａｒｅａ情報は、図１０に示すように、光ディスクのＬ０層上の所定領域に記録される。記録する際には、調整パラメータ処理部２１６により、図１１のフォーマットに従って調整パラメータ１１７と調整結果確認情報１１８とに振り分けて記録する。
【０１５３】
なお、ステップ１２０２、１２０４、１２１０、１２１２における調整結果の「取得」とは、実際に調整を実施することによって調整パラメータ１１７（図１０、図１１）の値を決定することを意味している。また、ＤｒｉｖｅＡｒｅａに記録する調整パラメータ１１７の値は、起動時に行った調整結果に限ったものではなく、起動処理を行った後に実施した調整結果を格納してもよい。
【０１５４】
以下では、図１４の手順でＤｒｉｖｅ  Ａｒｅａ情報１１２が記録されたＢＤ−ＲＥ  Ｄｉｓｃ１０１の起動処理を行う手順に関して、図１７Ａを参照して説明する。
【０１５５】
図１７Ａは、光ディスク装置２００でＢＤ−ＲＥ  Ｄｉｓｃ１０１の起動処理を行う手順を示したフローチャートである。但し、ＢＤ−ＲＥ  Ｄｉｓｃ１０１を、光ディスク装置２００によって起動処理を行ったことがある場合、つまり、ＢＤ−ＲＥ  Ｄｉｓｃ１０１には、光ディスク装置２００の装置識別情報に対応した調整パラメータ１１７、調整結果確認情報１１８が格納されている場合について述べる。
【０１５６】
まず、ステップ４０１では、Ｌ０層のＢＥ粗調整を実施する。ＢＥ粗調整は、図１５を参照して説明した方法により行う。
【０１５７】
ステップ４０２では、Ｌ０層のＦＢＡＬ／ＢＥ精調整を実施する。ＦＢＡＬ／ＢＥ精調整は、図１６を参照して説明した方法により行う。
【０１５８】
ステップ４０３では、ＢＤ−ＲＥ  Ｄｉｓｃ１０１のＤＭＡ領域１１０のリード処理を行う。
【０１５９】
ステップ４０４では、ステップ４０３で得られたＤＭＡ情報の中のＤＤＳ情報１１３から、有効なＤｒｉｖｅ  Ａｒｅａ情報１１２の先頭位置のアドレス情報を取得する。
【０１６０】
ステップ４０５では、ステップ４０４で得られたアドレス情報に対応した位置から、Ｄｒｉｖｅ  Ａｒｅａ情報１１２を取得する。こうして、Ｌ０層に関するＢＥの調整結果および調整時温度をＢＤ−ＲＥ  Ｄｉｓｃ１０１から読み出すことができる。
【０１６１】
次に、ＢＤ−ＲＥ  Ｄｉｓｃ１０１から読み出したＬ０層に関するＢＥの調整結果および調整時温度を、ステップ４０２で得たＬ０層に関するＢＥの調整結果および現在温度と比較し、Ｄｒｉｖｅ  Ａｒｅａ情報１１２の妥当性を確認する。具体的には、図１７Ｂに示すように、まず、ステップ４０７ａにおいてＢＥに関する調整結果の差に関する妥当性を判定する。例えば、前回のＢＥ調整結果と今回のＢＥ調整結果との差異が、透過層厚換算で８μｍ以下であれば、「ＯＫ」と判定してステップ４０７ｂに進む。そして、ステップ４０７ｂでは、ＢＤ−ＲＥ  Ｄｉｓｃ１０１から読み出した調整時温度と今回の調整時温度との差（ΔＴ℃）を計算する。この計算で求めた温度差ΔＴ℃が例えば３０℃以下であれば、「ＯＫ」としてステップ４０８に進む。
【０１６２】
ステップ４０７ａ、４０７ｂの各々において、判定条件を満足しない場合は、「ＮＧ」として図１７Ａに示すステップ４１１に進むことになる。
【０１６３】
ステップ４０８では、Ｌ１層へのフォーカスジャンプ処理を行う。
【０１６４】
ステップ４０９では、ＢＤ−ＲＥ  Ｄｉｓｃ１０１から読み出したＬ１層に関するＢＥ値からＬＯ層に関するＢＥ値を差し引いた差分ΔＢＥを、ステップ４０１で求めたＬ０層に関するＢＥの粗調整値に加算する。ただし、この差分ΔＢＥは、ステップ４０７ｂで求めた温度差に応じて補正することが好ましい。なぜならば、透過層厚さに換算したＢＥは、温度変化ΔＴに依存して線形的に変化するからである。ＢＥが温度に依存して線形的に変化する理由は、レーザ光源２１７の温度が変化すると、放射される光ビームの波長が変化し、しかも、球面収差の大きさが光ビームの波長に依存して変化するからである。例えば、調整時温度が３０℃のときに最適なＢＥが光透過層厚に換算して１００μｍである場合を考える。この場合、温度がΔＴ℃増加したときの最適ＢＥは、例えば１００μｍ＋０．８×ΔＴμｍで示される。このようなＢＥの温度変化率は、光ディスクドライブが固定値としてメモリ内に保持していても良いし、上述の調整結果から算出することも可能である。
【０１６５】
上述の例では、ＢＥの温度依存性を示す比例係数は、０．８×ΔＴである。したがって、上記の差分ΔＢＥに０．８×ΔＴをかけ掛け合わせた数値を「温度補正差分」として算出し、ステップ４０１で求めたＬ０層に関するＢＥの粗調整値に加算することが好ましい。温度変化ΔＴに基づいて補正した差分を今回のＬ０層に関するＢＥ値に加算することにより、図７に示すＦＢ２点におけるＢＥ値を算出することができる。
【０１６６】
その後、ステップ４１０では、図７に示す矢印２〜４の処理（ＦＢＡＬ／ＢＥ精調整）を実施する。この処理は、ＦＢＡＬ／ＢＥ精調整から図７に示す矢印２の処理を割愛しているため、簡略モードのＦＢＡＬ／ＢＥ精調整に相当している。
【０１６７】
一方、ステップ４０７の確認がＮＧの時は、ステップ４１１に進んで、Ｌ１層にフォーカスジャンプを行った後、ステップ４１２で通常のＢＥ粗調整を実施する。その後、ステップ４１３に進んで、通常のＦＢＡＬ／ＢＥ精調整を実施する。この場合は、当然に、起動処理の時間が従来どおりの長さとなる。
【０１６８】
ステップ４１４では、今回得た調整パラメータおよび調整結果確認情報を光ディスクのＤｒｉｖｅ  Ａｒｅａに格納し、起動処理を終了する。
【０１６９】
なお、本実施形態では、Ｌ０層の調整を行ったのちにＤＭＡ情報を取得し、ＤＭＡ情報から、Ｄｒｉｖｅ  Ａｒｅａに位置を得て、Ｄｒｉｖｅ  Ａｒｅａの情報を取得していたが、ＤＭＡ情報を取得する前に、Ｄｒｉｖｅ  Ａｒｅａの領域をサーチして、取得したＤｒｉｖｅ  Ａｒｅａ位置からＤｒｉｖｅ  Ａｒｅａの情報を取得してもよい。
【０１７０】
最適なＢＥは、前述したように、ディスクの表面から情報層までの厚さや、温度によって変化する。また、Ｌ０層とＬ１層とでは、ディスク表面から情報層までの距離が異なるため、一方の情報層（例えばＬ０層）の最適ＢＥにオフセットを加えた値がもう一方の情報層（例えばＬ１層）の最適ＢＥとなる。ここで、Ｌ０層の最適ＢＥとＬ１層の最適ＢＥとの差は、光ディスクに依存した値であるため、光ディスク装置が１度でも調整を行ったことのあるディスクに対しては、最適ＢＥの差をディスクに記録しておくことにより、一方の情報層について最適ＢＥを求める調整を行えば、他方の情報層についての最適ＢＥは、演算によって得ることが可能となる。
【０１７１】
なお、本実施形態では、球面収差補正位置に関するＬ０層とＬ１層との差分情報を利用しているが、本発明は、このような場合に限定されない。例えば、今回のＬ０層の調整結果が以前のＬ０層の調整結果から所定値以内であると判断した場合、以前のＬ１層の調整結果を用い、現在温度による補正を行い、調整を終了しても良い。
【０１７２】
前述したように、ＦＢＡＬ／ＢＥ精調整は、データ再生を行うために最適な状態にするために、フォーカス位置および球面収差補正位置の両方を変化させる調整である。データ再生に最適なフォーカス位置および球面収差補正位置は、光ピックアップの光学特性の時間的変化や温度条件によっても変化する。しかし、再生に最適なフォーカス位置は、情報層毎に大きく異なることは少なく、一方の情報層（例えばＬ１層とする）について最適なフォーカス位置は、他方の情報層（例えばＬ０層とする）についての最適なフォーカス位置調整結果に対して、一定の範囲内に存在する。
【０１７３】
一方、データ再生に最適な球面収差補正位置は、前述したように、他方の情報層の最適な球面収差補正位置にオフセットを加えた位置から一定の範囲内に存在する。このため、Ｌ０層のＦＢＡＬ／ＢＥ精調整結果が得られると、Ｌ１層のＦＢＡＬ／ＢＥ精調整の結果は、Ｌ０層のＦＢＡＬ／ＢＥ精調整結果から一定の範囲内に存在する可能性が高くなる。したがって、調整時の探索範囲は、Ｌ０層の調整結果から一定付近の領域のみでよい。さらに、温度変化による最適なフォーカス位置、ＢＥの変化は、すでに調整を行った層の調整結果に反映されているため、以前の調整時温度と現在温度が大きく離れていないかどうかを判定することで、最適なフォーカス位置、ＢＥの温度変化による影響を少なくすることが可能となる。
【０１７４】
このように、今回のＬ０層の調整結果と、以前のＬ０層、Ｌ１層の調整結果を用いると、Ｌ１層の調整の探索範囲を狭めることが可能となり、高速な調整を行うことができる。
【０１７５】
なお、起動処理時の調整は、本実施形態のようにＢＥ粗調整およびＦＢＡＬ／ＢＥ精調整に限定されず、ＴＥ振幅の調整であってもよい。今回のＬ０層の調整結果とディスクに記録された以前のＬ０層の調整結果が所定の範囲内に存在する場合は、ディスクに記録された以前のＬ１層の調整結果を設定してもよいし、ディスクに記録されたＬ１層の調整結果に演算を行った値を設定してもよい。ＴＥ振幅の調整は、半径位置に応じた調整結果の平均値を取って、該当の層の調整結果としているため、長距離の光ピックアップの移動時間を省略することが可能となり、起動時間の短縮に大きな効果を得ることができる。さらに、今回のＬ０層の調整結果と光ディスクに記録された以前のＬ０層の調整結果が所定の範囲内に存在する場合は、光ディスクに記録された以前のＬ１層の調整結果を設定し、正しい特性が出ているかどうかの確認を行うことで、Ｌ１層の調整としてもよい。
【０１７６】
また、情報層の数が３以上の場合であっても、ある特定の情報層について各種調整を行ったならば、他の複数の情報層について、実施形態１と同様に調整時間を短縮する効果が得られる。
【０１７７】
更に、複数の情報層は、情報層の法線方向に積層されている必要はなく、光ディスクの半径方向に配置されていても良い。例えば、１つの光ディスクの内周側に第１情報層が配置され、その周り（外周側）に第２情報層が配置されていてもよい。
【０１７８】
（実施形態２）
次に、本発明による光ディスク装置の他の実施形態を説明する。
【０１７９】
まず、図１８を参照する。本実施形態の光ディスク装置が図１２に示す光ディスク装置と異なる点は、システム制御部２１３がディスク判別部２２０、および差分情報格納部２２２を備えていることにある。共通する構成要素について、重複した説明は省略する。
【０１８０】
光ディスクが再生専用である場合は、差分情報を光ディスクに記録することができないため、光ディスク装置側に用意したメモリ内に差分情報を格納することになる。
【０１８１】
本実施形態では、光ディスクに応じて適切な差分情報をメモリから読み出す必要があるため、差分情報格納部２２２は、個々の光ディスクに固有の識別情報（ＩＤ）に対応付けで差分情報を記憶しておく。そして、起動処理を行うとき、光ディスク装置にロードされた光ディスクのＩＤを検出し、そのＩＤに対応付けられた差分情報をメモリから取得することになる。なお、前述したように、差分情報は、Ｌ０層に関する値とＬ１層に関する値の両方を含んでいれば良く、それらの差を示す情報のみに限定はされない。
【０１８２】
以下、図１９を参照しながら、本実施形態における起動処理のフローを説明する。
【０１８３】
第１回目の起動時、まず、ステップＳ１１〜Ｓ１４を実行し、第１情報層（Ｌ０）についてＦＢＡＬおよびＢＥの調整を完了する。その後、ステップＳ３０において、個々のディスクに固有なディスクＩＤ（Ｄｉｓｃ  ＩＤ）を光ディスクから読み出して取得する。Ｄｉｓｃ  ＩＤは、光ディスクのシリアル番号などであってもよく、個々の光ディスクに固有する情報である。
【０１８４】
次に、フォーカスジャンプを行った後、ステップＳ１５〜Ｓ１８を実行して、第２情報層（Ｌ１）についてのＦＢＡＬおよびＢＥの調整を完了する。その後、ステップＳ３１において、差分情報をステップ３０で光ディスクから読み出したＤｉｓｃ  ＩＤに関連付けてメモリの差分情報格納部２２２に記憶する。このメモリは、例えば、光ディスク装置にセットされているハードディスクや、メモリカードである。
【０１８５】
第２回目以降の起動時は、まず、ステップＳ２０〜Ｓ２３を実行し、第１情報層（Ｌ０）についてＦＢＡＬおよびＢＥの調整を完了する。その後、ステップＳ３２において、光ディスクからＤｉｓｃ  ＩＤを読み出して取得する。本実施形態では、このＤｉｓｃ  ＩＤに基づいてディスク判別部２２０が光ディスクを特定する。次に、ステップＳ３３において、上記メモリの差分情報格納部２２２から差分情報を取得する。差分情報格納部２２２には、多数の光ディスクに対応付けられた差分情報が記録され得るため、取得したＤｉｓｃ  ＩＤに対応した差分情報を差分情報格納部２２２から選択することになる。こうして選択した差分情報を、第１情報層（Ｌ０）について得たＦＢＡＬおよびＢＥに加算することにより、第２情報層（Ｌ１）についてのＦＢＡＬおよびＢＥの値を算出する。
【０１８６】
次に、フォーカスジャンプを行った後、ステップＳ２５〜Ｓ２６を実行して、第２情報層（Ｌ１）についてのＦＢＡＬおよびＢＥの調整を完了する。
【０１８７】
本実施形態によれば、差分情報を光ディスク装置の側で記憶するため、再生専用の多層光ディスクについても、起動処理時間の短縮をはかることが可能になる。
【０１８８】
なお、本実施形態では、ディスクＩＤを光ディスクから読み出しているが、本発明は、そのような場合に限定されない。例えば、カートリッジを使用した光ディスクでは、カートリッジに固有のＩＤを付与して、起動時にカードリッジからディスクＩＤを取得してもよい。また、光ディスクのレーベル面などにディスクＩＤを印字したり、ディスクＩＤを格納したＩＣチップなど光ディスクに設けておき、起動前にそれらからディスクＩＤを取得してもよい。
【０１８９】
（実施形態３）
次に、本発明による光ディスク装置の第３の実施形態を説明する。
【０１９０】
本実施形態では、フォーカス位置（ＦＢＡＬ）および球面収差補正位置（ＢＥ）ではなく、光ディスクのチルトについて、第１情報層と第２情報層との間にある「差分」を利用する。
【０１９１】
光ピックアップから情報層を光ビームで照射するとき、情報層に対する光ビームの入射角度は、９０°に保持されることが好ましいが、光ディスクにおいて第１情報層（Ｌ０）と第２情報層（Ｌ１）とが平行であるとは限らず、図２０（ａ）〜（ｄ）に示すように、情報層間の透過層厚が一様ではない場合がある。
【０１９２】
図２０（ａ）および図２０（ｂ）は、同一の光ディスクの異なる状態を模式的に示す図である。この光ディスクでは、Ｌ０層とＬ１層とは平行ではなく、その層間間隔は、光ディスクの半径位置（ディスク中心からの距離）に依存して単調に増加している。図２０（ａ）に示す状態では、Ｌ０層のチルトはゼロであるが、Ｌ１層にはα°のチルトが発生している。一方、図２０（ｂ）の例では、何らかの理由により、Ｌ０層にもβ°のチルトが存在し、Ｌ１層にはβ＋α°のチルトが発生している。このように同一の光ディスクであっても、光ディスク装置に搭載するたびに異なるチルトが発生し得る。ただし、Ｌ０層とＬ１層との間隔は一定に保持されるため、Ｌ１層のチルトからＬ０層のチルトを差し引いた値（α°）は、図２０（ａ）の状態と図２０（ｂ）の状態との間で変化していない。
【０１９３】
このようなチルトは、光ピックアップを光ディスクの半径方向に移動させつつ、Ｌ０層およびＬ１層の各々について測定され、記録再生動作時には、測定されたチルトに基づいて対物レンズの光軸方向を調整することになる。チルトの測定は、フォーカス位置（ＦＢＡＬ）や球面収差位置（ＢＥ）の調整と同様に、起動処理として実行される。具体的には、複数の異なる半径位置において、光ピックアップ内の対物レンズを上下させることにより、各半径位置における情報層の高さを検出すれば、各情報層のチルトを求めることができる。
【０１９４】
しかしながら、従来技術では、チルトの半径方向分布を求める作業を個々の情報層について実行することになるため、起動時間が長くなるという問題があった。図２０（ａ）の例では、５つ半径位置２４、３２、４０、４８、５６ｍｍでＬ０層の高さを測定した後、同様に５つの半径位置２４、３２、４０、４８、５６ｍｍでＬ１層の高さを測定することになる。各半径位置で実際に情報層に光ビームを照射しながら対物レンズを上下させ、情報層に焦点が合ったときの対物レンズの高さから情報層の高さを特定するため、情報層の数が増えると、処理を完了するまでの時間は過大なものとなる。
【０１９５】
本発明者は、同一光ディスク内におけるＬ０層とＬ１層との間の幾何学的な配置関係は光ディスクに固有であり、ほとんど変動しないものであることに着目した。本実施形態では、チルトについて「差分情報」を利用する。
【０１９６】
図２０（ａ）、（ｂ）に示される例では、Ｌ０層とＬ１層との間にあるチルトの差分は、半径方向位置によらずα°である。この差分は、この光ディスクに固有であり、変化しないため、Ｌ０層についてチルトを検出すれば、Ｌ１層のチルトについては、上記の差分をＬ０層について検出したチルトに加算するだけで得ることが可能になる。
【０１９７】
このようにして起動処理時間を短縮するためには、Ｌ０層のチルトに関する情報およびＬ１層のチルトに関する情報の両方が光ディスクのＬ０層に前もって記録されていればよい。この場合、チルトの測定結果は、図１１に示す調整パラメータ１１７に含まれることになる。
【０１９８】
次に、図２０（ｃ）、（ｄ）を参照する。図２０（ｃ）、（ｄ）も、同一光ディスクの異なる状態を示している。図２０（ｃ）の例では、Ｌ０層にチルトは発生していないが、情報層の間隔が一様ではないため、Ｌ１層のチルトが半径位置に依存して不規則に変化している。図の例では、Ｌ１層について多数の半径位置で高さを測定した後、チルトが大きく変化している半径位置２４ｍｍ、３０ｍｍ、４０ｍｍ、５２ｍｍを選択し、それらの半径位置で測定した情報層の高さからチルトを算出できる。具体的には、半径位置２４ｍｍにおけるＬ１層の高さと半径位置３０ｍｍにおけるＬ１層の高さの差異を、両半径位置の間隔（３０ｍｍ−２４ｍｍ＝６ｍｍ）で除算することにより、半径位置２４〜３０ｍｍの領域におけるチルトの線形近似値を算出することができる。算出したチルトは、表に示すように、各領域で異なる値θ、ι、ε、κを示している。図２０（ｄ）の例では、Ｌ０層にβ°のチルトが発生しているが、Ｌ１層とＬ０層との差分は、図２０（ｃ）に示す差分から変化していない。
【０１９９】
このように多層光ディスクにおける情報記録層間の透過層厚が不均一な場合でも、その透過層厚の径方向分布を測定し、記憶しておけば、全ての情報層についてチルト補正のための測定を行う必要がなくなる。すなわち、第１情報層についてチルトの径方向分布を測定すれば、差分を加算することにより、第２情報層についてのチルトの径方向分布を知ることができ、第２情報層についてのチルト調整が簡単になる。
【０２００】
第１情報層と第２情報層との間の幾何学的な関係は、光ディスク装置によらず一定であるため、一度、そのような幾何学的関係を検出し、光ディスクまたは光ディスク装置のメモリ内に記憶しておけば、起動処理時間を短縮する効果を得ることが可能になる。第１情報層と第２情報層との間の幾何学的な関係は、チルトに限定されず、例えば中心のずれ（偏心）であってもよい。
【０２０１】
（実施形態４）
以上の説明から明らかなように、本発明によって起動処理時間を短縮する効果を得るためには、図１１に示すような調整パラメータ１１７の値が光ディスク２０１に記録されていることが必要になる。１つの光ディスク２０１は、リムーバブルであるため、種々の光ディスク装置に装填され、各光ディスク装置は、装填された光ディスクに応じて、記録または再生のための処理を実行する。
【０２０２】
例えば、図２１Ａに示すように、光ディスクを記録媒体として使用するカムコーダに調整パラメータ１１７が記録されていない光ディスク２０１がロードされ、最初の起動処理が行われた場合を考える。このカムコーダは、本発明による光ディスク装置の一実施形態である。
【０２０３】
この場合、実施形態１について説明した方法により、カムコーダはＢＥ粗調整やＦＢＡＬ／ＢＥ精調整を行い、最適なＦＢＡＬおよびＢＥの値を調整結果として得る。そして、そのカムコーダは、図１１に示す調整パラメータの値を光ディスク２０１の第１情報層に記録する。これらの調整パラメータの記録値は、各光ディスク装置で、そのまま使用可能なように所定の基準で規格化されていることが好ましい。例えば、ＢＥの場合、透過層厚に換算した数値で表現されていれば、種々の光ディスク装置でそのまま利用することが可能になる。
【０２０４】
図５（ｃ）に示す例では、Ｌ１層（透過層厚：７５μｍ）で球面収差を最小化するためには、収差補正レンズを、その駆動中心から−１．１１ｍｍの位置に移動させることになる。各光ディスク装置は、与えられた透過層厚に応じて適切な収差補正レンズ位置を決定することができる。このため、例えば、或る光ディスク２０１についてＬ１層の最適ＢＥを求めたところ、透過層厚に換算した値が７６．２μｍであることがわかったときは、最適なＢＥとして７６．２μｍの値を光ディスク２０１に記録しておけばよい。
【０２０５】
フォーカス位置も、フォーカスエラー信号におけるＳ字カーブのゼロクロス点に対する距離を規格化されたフォーカス位置として光ディスク２０１に記録することができる。
【０２０６】
このように、起動処理時に得た調整結果を光ディスクに記録する際、複数の光ディスク装置で共用できるように規格化しておけば、１つの光ディスク装置で求めた調整結果を他の光ディスク装置で利用することが容易になる。
【０２０７】
図２１Ａの例では、調整パラメータが記録された光ディスクが光ディスクレコーダやコンピュータ用ドライブなどの他の光ディスク装置に挿入されると、それらの光ディスク装置での起動処理時間を短縮することが可能になる。ただし、起動処理時間を短縮するためには、これらの光ディスク装置が本発明による光ディスク装置であることが必要である。
【０２０８】
次に、本発明による光ディスク装置の更に他の実施形態を説明する。
【０２０９】
上述した例では、図１１に示す調整パラメータの値として、各光ディスク装置に共用しやすいように規格化された数値が記録される場合を説明したが、本発明は、そのような場合に限定されない。以下に説明する実施形態では、各光ディスク装置で得た調整パラメータの値が、その装置で使用される数値のままで光ディスクに記録される。ただし、本実施形態では、光ディスク装置を特定する情報（装置ＩＤ）と調整パラメータとを関連づけて光ディスクに記録することにより、特定の光ディスク装置を用いて求めた調整パラメータの値を他の光ディスク装置で補正して利用することを可能にしている。
【０２１０】
以下、図２２を参照して、本実施形態における起動処理の手順を説明する。
【０２１１】
まず、既に調整パラメータの値が他の光ディスク装置によって求められ、Ｄｒｉｖｅ  Ａｒｅａ１０９（図１０）内に記録された光ディスクが用意され、本実施形態の光ディスク装置にロードされる。なお、本実施形態の光ディスク装置の装置ＩＤは、Ｐ２００６５５５５５であり、光ディスクに調整パラメータを記録した光ディスク装置の装置ＩＤは、Ｐ２００６１２３４５であるとする。
【０２１２】
この光ディスクに対して、本実施形態の光ディスク装置による初めての起動処理が行われる。すなわち、前述した方法により、Ｌ０層についてＢＥの粗調整を行う（ステップＳ１１）。その後、ＴＥ尾根上ＦＢＡＬ／ＢＥ調整を行い（ステップＳ１２）、更に、ＦＢＡＬの精調整を実行する（ステップＳ１３）。続いてＢＥの精調整を行うことにより、以下の表２に示す調整結果を得る（ステップＳ１４）。
【０２１３】
【表２】
0005199675.tif 000003
【０２１４】
これらの調整を完了することにより、光ディスクのＬ０層に設けられたＤｒｉｖｅ  Ａｒｅａ１０９からデータを取得することが可能になる。次に、光ディスクのＤｒｉｖｅ  Ａｒｅａから図１１に示す調整パラメータの値とともに、調整パラメータの値を記録した装置を特定するための情報（装置ＩＤ）を読み出す（ステップＳ４０）。
【０２１５】
以下の表３は、光ディスクのＤｒｉｖｅ  Ａｒｅａに記録されていた「装置ＩＤ」および「調整パラメータ」の数値例を示している。
【０２１６】
【表３】
0005199675.tif 000004
【０２１７】
次に、本実施形態の光ディスク装置は、光ディスクから取得したＬ０層に関するＦＢＡＬおよびＢＥと、Ｌ１層に関するＦＢＡＬおよびＢＥに基づいて差分を求める（ステップＳ４１）。差分は、例えば以下の表４に示される値を有している。
【０２１８】
【表４】
0005199675.tif 000005
【０２１９】
差分を示す数値は、調整パラメータを求めた光ディスク装置（装置ＩＤ：Ｐ２００６１２３４５）に対するものであるため、本実施形態の光ディスク装置（装置ＩＤ：Ｐ２００６５５５５５）では補正して用いる必要がある。具体的には、今回の起動処理によって得たＦＢＡＬ（Ｌ０）に対して、補正係数で補正した差分を加算することにより、ＦＢＡＬ（Ｌ１）の算出結果を得ることができる。同様に、今回の起動処理によって得たＢＥ（Ｌ０）に対して、補正係数で補正した差分を加算することにより、ＢＥ（Ｌ１）の算出結果を得ることができる。
【０２２０】
補正に必要な補正係数χ、ρは、調整パラメータの値とともに光ディスクに記録されていても良いし、光ディスク装置のシステム制御部２１３（図１２）内のメモリに前もってテーブル値として保存されていても良い。システム制御部２１３内のメモリに補正係数χ、ρを保存しておく場合、補正係数χ、ρと装置ＩＤとを対応付ける必要がある。補正係数χ、ρが光ディスク装置ごとに異なるからである。補正係数χ、ρと装置ＩＤとの対応付けは、例えば、以下の表５に示されるテーブルによって表される。
【０２２１】
【表５】
0005199675.tif 000006
【０２２２】
この例では、本実施形態の光ディスク装置（装置ＩＤ：Ｐ２００６５５５５５）における補正係数χａ、ρａが、それぞれ、＋２００、＋１８４であり、調整パラメータの値を光ディスクに記録した光ディスク装置（装置ＩＤ：Ｐ２００６１２３４５）であるため、補正係数χｂ、ρｂは、それぞれ、＋１８０、＋１７０である。したがって、ＦＢＡＬ（Ｌ１）、ＢＥ（Ｌ１）の値は、表６に示すようにして算出される。
【０２２３】
【表６】
0005199675.tif 000007
【０２２４】
このような差分に対する補正の仕方は、上述した例に限定されない。
【０２２５】
次に、Ｌ０層からＬ１層にフォーカスジャンプを行った後、温度変化に対応するため、Ｌ１層におけるＦＢＡＬおよびＢＥの精調整を実行する（ステップＳ１７、Ｓ１８）。
【０２２６】
このように本実施形態によれば、光ディスクに記録されている差分情報が、当該光ディスク装置によって求められたものでない場合であっても、差分情報を有効に利用することができ、Ｌ１層におけるＢＥ粗調整およびＴＥ尾根上ＦＢＡＬ／ＢＥ調整に必要な時間を省くことが可能になる。
【０２２７】
本実施形態による光ディスク装置を用いてＦＢＡＬやＢＥなどの調整パラメータの値が光ディスクに記録されていると、図２１Ａに示すように、その光ディスクが挿入される種々の光ディスク装置において、起動処理時間を短縮することが可能になる。このため、同一メーカから複数種類の光ディスク装置（カムコーダ、ビデオレコーダ、コンピュータ用ドライブなど）が製造・販売されている場合、本発明によれば、このメーカの光ディスク装置間では起動時間を短縮できる利点があるため、ユーザは、そのメーカによる製品群から光ディスク装置を購入しようとし、そのメーカから提供される製品の販売促進効果も得られる。また、複数の協賛企業が本発明による光ディスク装置を規格化して利用すれば、複数の企業が製造・販売する装置間で起動時間短縮効果を得ることも可能になる。
【０２２８】
なお、光ディスクを市場に投入するとき（出荷時点）、調整パラメータの値を最初から光ディスクに記録しておいてもよい。調整パラメータ記録済みの光ディスクを購入したユーザは、図２１Ｂに示すように、その光ディスクを種々の光ディスク装置（本発明によるもの）に挿入して最初の起動時から処理時間短縮の効果を得ることができる。図２１Ｂに示す例では、Ａ社、Ｂ社、Ｘ社などが販売する多様な装置において、このような光ディスクが利用できるように調整パラメータが規格化されるか、表４に示すような情報が企業間で共有されていることが好ましい。
【０２２９】
以上説明してきたように、本発明の好ましい実施形態における光ディスク装置を用いると、起動時において、Ｌ０層に関する調整パラメータの値を決定すれば、以前の起動時に設定されたＬ０層およびＬ１層に関する調整パラメータの差分を利用して、Ｌ１層に関する調整パラメータをより短い時間で決定することが可能になる。このため、起動処理を完了するまでの時間を短縮することが可能となり、再生が可能となるまでのユーザの待ち時間を短縮することが可能となる。
【産業上の利用可能性】
【０２３０】
本発明にかかる光ディスク装置は、複数の層からなる光ディスクの起動処理を行う際に、第１情報層についての求めた調整結果から、第１情報層と第２情報層との幾何学的な配置関係によって定まる差分情報を用いて第２情報層についての調整に要する時間を短縮することができるため、ユーザの利便性が向上し、有用である。
【図面の簡単な説明】
【０２３１】
【図１】光ディスク装置にロードされた光ディスク２０１と対物レンズ２０２との間の概略的な位置関係を示す斜視図である。
【図２】複数の情報層を備える光ディスク２０１の構成を示す断面図である。
【図３】（ａ）は、球面収差が生じている状態を示す図であり、（ｂ）は、球面収差が補正された状態を示す図である。
【図４】（ａ）は、光ディスク２０１の表面から相対的に浅い位置にある情報層上で球面収差が最小化されている様子を示す図であり、（ｂ）は、光ディスク２０１の表面から相対的に深い位置にある情報層上で球面収差が最小化されている様子を示す図である。
【図５】（ａ）および（ｂ）は、収差補正のために光軸方向に移動した収差補正レンズ２６２を示す図であり、（ｃ）は、収差補正レンズ２６２の位置と、球面収差が最小化される情報層の深さとの関係を示す図である。
【図６】本発明の光ディスク装置による起動処理の概略を示すフローチャートである。
【図７】フォーカス位置（ＦＢＡＬ）および球面収差位置（ＢＥ）の最適化の手順を説明するための図である。
【図８】フォーカス位置（ＦＢＡＬ）および球面収差位置（ＢＥ）とトラッキングエラー信号（ＴＥ信号）の振幅との関係を示すグラフである。
【図９】本発明の光ディスク装置による起動処理の詳細を示すフローチャートである。
【図１０】本発明の実施形態における光ディスクの構成を示す概略図である。
【図１１】本発明の実施形態における有効なＤｒｉｖｅ  Ａｒｅａ情報の構成を示す概略図である。
【図１２】実施形態１における光ディスク装置の構成を示すブロック図である。
【図１３】実施形態１における起動処理の手順を示すフローチャートである。
【図１４】実施形態１において、有効なＤｒｉｖｅ  Ａｒｅａ情報１１２が記録されていない光ディスクの起動処理の手順を示すフローチャートである。
【図１５】球面収差補正位置（ＢＥ）の粗調整の手順を示すフローチャートである。
【図１６】フォーカス位置（ＦＢＡＬ）／球面収差補正位置（ＢＥ）の精調整の手順を示すフローチャートである。
【図１７Ａ】実施形態１において、有効なＤｒｉｖｅ  Ａｒｅａ情報１１２が記録されている光ディスクの起動処理の手順を示すフローチャートである。
【図１７Ｂ】実施形態１において、有効なＤｒｉｖｅ  Ａｒｅａ情報１１２が記録されている光ディスクの起動処理の手順を示すフローチャートである。
【図１８】本発明による光ディスク装置の他の実施形態を示す図である。
【図１９】実施形態２における光ディスク装置による起動処理の手順を示すフローチャートである。
【図２０】（ａ）〜（ｄ）は、不均一な間隔で積層された２層の情報層を備える光ディスクの構成を模式的に示す断面図とチルトの半径位置依存を示す表である。
【図２１Ａ】異なる光ディスク装置間で同一の光ディスクが使用される形態を示す図である。
【図２１Ｂ】異なる光ディスク装置間で同一の光ディスクが使用される他の形態を示す図である。
【図２２】本発明による光ディスク装置の更に他の実施形態における起動処理を示すフローチャートである。
【図２３】特許文献１の光ディスク装置が行う光ディスクの起動処理の手順を示すフローチャートである。
【符号の説明】
【０２３２】
２２    光ビーム
１０１    Ｂｌｕ−ｒａｙ  Ｄｉｓｃ  Ｒｅｗｒｉｔａｂｌｅ  Ｆｏｒｍａｔ
１０２    Ｌｅａｄ−ｉｎ  Ｚｏｎｅ（Ｌａｙｅｒ０）
１０３    Ｄａｔａ  Ｚｏｎｅ（Ｌａｙｅｒ０）
１０４    Ｏｕｔｅｒ  Ｚｏｎｅ
１０５    Ｄａｔａ  Ｚｏｎｅ（Ｌａｙｅｒ１）
１０６    Ｌｅａｄ−ｏｕｔ  Ｚｏｎｅ（Ｌａｙｅｒ１）
１０７    ディスク情報領域
１０８    ＯＰＣ領域
１０９    Ｄｒｉｖｅ  Ａｒｅａ
１１０    ＤＭＡ領域
１１１    無効なＤｒｉｖｅ  Ａｒｅａ情報
１１２    有効なＤｒｉｖｅ  Ａｒｅａ情報
１１３    ＤＤＳ情報
１１４    無効なＤＦＬ情報
１１５    有効なＤＦＬ情報
１１６    装置識別情報
１１７    調整パラメータ（Ｌａｙｅｒ０）
１１８    調整結果確認情報（Ｌａｙｅｒ０）
１１９    調整パラメータ（Ｌａｙｅｒ１）
１２０    調整結果確認情報（Ｌａｙｅｒ１）
１２１、１２２    予備領域
２００    光ディスク装置
２０１    光ディスク
２０２    対物レンズ
２０３    アクチュエータ
２０４    球面収差位置調整部
２０５    受光部
２０６    アクチュエータ駆動部
２０７    球面収差位置駆動部
２０８    フォーカス誤差生成部
２０９    トラッキング誤差生成部
２１０    信号再生部
２１１    データ再生部
２１２    サーボ制御部
２１３    システム制御部
２１４    ディスクモータ
２１５    光ピックアップ
２１６    調整パラメータ処理部
２１７    レーザ光源
２１８    記録部
２６０    収差補正レンズ
３０１    調整パラメータ
３０２    調整結果確認情報
３０３    ＦＢＡＬ／ＢＥ精調整結果  ＦＢＡＬ値（Ｌａｙｅｒ０）
３０４    ＦＢＡＬ／ＢＥ精調整結果  球面収差補正位置（Ｌａｙｅｒ０）  
３０５    ＦＢＡＬ／ＢＥ精調整結果  ＦＢＡＬ値（Ｌａｙｅｒ１）
３０６    ＦＢＡＬ／ＢＥ精調整結果  球面収差補正位置（Ｌａｙｅｒ１）  
３０７    ＦＢＡＬ／ＢＥ精調整時温度（Ｌａｙｅｒ０）
３０８    ＦＢＡＬ／ＢＥ精調整時温度（Ｌａｙｅｒ１）
【図１】
0005199675.tif 000008
【図２】
0005199675.tif 000009
【図３】
0005199675.tif 000010
【図４】
0005199675.tif 000011
【図５】
0005199675.tif 000012
【図６】
0005199675.tif 000013
【図７】
0005199675.tif 000014
【図８】
0005199675.tif 000015
【図９】
0005199675.tif 000016
【図１０】
0005199675.tif 000017
【図１１】
0005199675.tif 000018
【図１２】
0005199675.tif 000019
【図１３】
0005199675.tif 000020
【図１４】
0005199675.tif 000021
【図１５】
0005199675.tif 000022
【図１６】
0005199675.tif 000023
【図１７Ａ】
0005199675.tif 000024
【図１７Ｂ】
0005199675.tif 000025
【図１８】
0005199675.tif 000026
【図１９】
0005199675.tif 000027
【図２０】
0005199675.tif 000028
【図２１Ａ】
0005199675.tif 000029
【図２１Ｂ】
0005199675.tif 000030
【図２２】
0005199675.tif 000031
【図２３】
0005199675.tif 000032